(57)【要約】  ある側面によれば、無線デバイスは、無線ネットワークから受信したメッセージに応答して、ＲＲＣ接続状態からＲＲＣインアクティブ状態に入る。無線デバイスは、その後、ＲＲＣインアクティブ状態からＲＲＣ接続状態に遷移し、無線デバイスがＲＲＣインアクティブ状態にある間に記憶された１つまたは複数の測定構成に従って１つまたは複数の測定を再開する。【特許請求の範囲】
【請求項１】
無線ネットワークで動作する無線デバイス（５０）において、測定構成を処理するための方法（５００）であって、該方法（５００）は、
前記無線ネットワークから受信されたメッセージに応答して、無線リソース制御（ＲＲＣ）接続状態からＲＲＣインアクティブ状態に入ること（５０２）と、
その後、前記ＲＲＣインアクティブ状態から前記ＲＲＣ接続状態に遷移すること（５０６）と、
前記無線デバイス（５０）が前記ＲＲＣインアクティブ状態にある間に格納された１つまたは複数の測定構成に従って１つまたは複数の測定を再開すること（５０８）と、
を含む方法（５００）。
【請求項２】
前記再開することは、新しい測定構成を含まないＲＲＣ再開メッセージを受信することに応答して選択的に実行される
請求項１に記載の方法（５００）。
【請求項３】
前記再開することは、新しい測定構成を含むＲＲＣ再開メッセージを受信することにかかわらず、前記無線デバイス（５０）が前記ＲＲＣインアクティブ状態にある間に格納された１つまたは複数の測定構成に従って実行される
請求項１に記載の方法（５００）。
【請求項４】
前記無線デバイス（５０）が前記ＲＲＣインアクティブ状態にある間に格納された測定構成に従って実行される前記再開することは、前記無線デバイス（５０）が前記ＲＲＣインアクティブ状態にある間に格納された１つまたは複数の測定構成を、前記ＲＲＣインアクティブ状態にある間に受信されたＲＲＣ再開メッセージに含まれる測定構成情報で調整することを含む
請求項１に記載の方法（５００）。
【請求項５】
前記ＲＲＣインアクティブ状態に入ることに応答または関連して、以前に受信された測定構成の処理に関連する動作のセットを実行することと、
前記ＲＲＣインアクティブ状態に入ることに応答または関連して、以前に構成された１つまたは複数の測定を一時停止することと、
前記ＲＲＣインアクティブ状態にある間に、以前に受信された測定構成の処理に関連する動作のセットを実行することと、
のうちの１つまたは複数を実行すること（５０４）をさらに含む
請求項１乃至４の何れか１項に記載の方法（５００）。
【請求項６】
前記ＲＲＣインアクティブ状態に入ることに応答または関連して、以前に受信された測定構成の処理に関連する前記動作のセットを実行すること（５０４）は、前記ＲＲＣインアクティブ状態に入る時点で存在する測定構成のすべてまたはサブセットを格納することを含む
請求項５に記載の方法（５００）。
【請求項７】
前記格納することは、測定構成または測定構成のサブセットは解放されるべきでないというインジケーションを受信することに応答して選択的に実行される
請求項６に記載の方法（５００）。
【請求項８】
前記格納することは、前記無線デバイス（５０）へ明示的にインジケーションされた１つまたは複数のフィールドを除く既存のすべての測定構成を格納することを含む
請求項７に記載の方法（５００）。
【請求項９】
前記ＲＲＣインアクティブ状態に入る時点で存在する測定構成のすべてまたはサブセットを解放することをさらに含む
請求項１乃至４の何れか１項に記載の方法（５００）。
【請求項１０】
前記解放することは、測定構成または測定構成のサブセットが解放されるべきであるというインジケーションを受信することに応答して選択的に実行される
請求項９に記載の方法（５００）。
【請求項１１】
前記解放することは、前記無線デバイス（５０）へ明示的にインジケーションされた１つまたは複数のフィールドを除く既存のすべての測定構成を解放することを含む
請求項９に記載の方法（５００）。
【請求項１２】
前記一時停止することは、測定が一時停止されるべきであるというインジケーションを受信することに応答して選択的に実行される
請求項１乃至４の何れか１項に記載の方法（５００）。
【請求項１３】
前記一時停止することは、前記無線デバイス（５０）へ明示的にインジケーションされた１つまたは複数の測定を除く既存のすべての測定を一時停止することを含む
請求項１乃至４の何れか１項に記載の方法（５００）。
【請求項１４】
１つまたは複数の事前定義されたトリガイベントのセットに応答して、格納された測定構成のすべてまたは１つまたは複数の部分を解放することをさらに含む
請求項１乃至４の何れか１項に記載の方法（５００）。
【請求項１５】
前記事前定義されたトリガイベントのセットは、
セル再選択、
ニューラジオ（ＮＲ）および５Ｇコア（５ＧＣ）に接続されたロングタームエボリューション（ＬＴＥ）セルでのセル再選択、
イントラ無線アクセス技術（ＲＡＴ）のセル再選択、
周波数間のセル再選択、
ＲＲＣ一時停止メッセージ内などのＲＲＣによって構成されたタイマの満了、
ニューラジオアクセスネットワーク（ＲＡＮ）エリアへの進入、
周期的なＲＡＮエリア更新の実行、
ＲＲＣ再開要求の送信による再開の試行およびＲＲＣ接続セットアップの受信、
前記無線デバイス（５０）をカバーするダウンリンクビームのセットが変化したことを検出することによるセルカバレッジの変化の検出、
のうちの任意の１つまたは複数を含む
請求項１４に記載の方法（５００）。
【請求項１６】
無線ネットワーク内のまたは接続された１つまたは複数のノード（３０）において、測定構成の処理を提供するための方法（３００）であって、該方法（３００）は、
無線リソース制御（ＲＲＣ）インアクティブ状態からＲＲＣ接続状態に遷移すると、無線デバイス（５０）が前記ＲＲＣインアクティブ状態にある間に格納された１つまたは複数の測定構成に従って１つまたは複数の測定を再開するように、前記無線デバイス（５０）を構成することを含む
方法（３００）。
【請求項１７】
前記ＲＲＣインアクティブ状態に入ると、
前記ＲＲＣインアクティブ状態に入ることに応答または関連して、測定構成の処理に関連する動作のセット、
前記ＲＲＣインアクティブ状態に入ることに応答または関連して、以前に構成された１つまたは複数の測定の一時停止、
前記ＲＲＣインアクティブ状態にある間に、測定構成の処理に関連する動作のセット、
のうちの１つまたは複数を実行するように前記無線デバイス（５０）を構成することを含む
請求項１６に記載の方法（３００）。
【請求項１８】
請求項１乃至１５の何れか１項に記載の方法（５００）を実行するのに適合した無線デバイス（５０）。
【請求項１９】
送受信機回路（５６）と、該送受信機回路（５６）に動作的に関連付けられた処理回路（５２）と、を含み、
請求項１乃至１５の何れか１項に記載の方法（５００）を実行するように構成された
無線デバイス（５０）。
【請求項２０】
請求項１６または１７に記載の方法（３００）を実行するように適合した１つまたは複数のネットワークノード（３０）。
【請求項２１】
通信回路（３８）と、該通信回路（３８）に動作的に関連付けられた処理回路（３２）と、を含み、
請求項１６または１７に記載の方法（３００）を実行するように構成された
１つまたは複数のネットワークノード（３０）。
【請求項２２】
少なくとも１つの処理回路（３２、５２）で実行されたとき、該少なくとも１つの処理回路（３２、５２）に請求項１乃至１６の何れか１項に記載の方法（３００、５００）を実行させる命令を含む、コンピュータプログラム（４６、６６）。
【請求項２３】
請求項２１に記載のコンピュータプログラム（４６、６６）を含むキャリアであって、該キャリアは、電気信号、光信号、無線信号、またはコンピュータ可読記憶媒体（４４、６４）の何れかである、前記キャリア。
【請求項２４】
無線デバイス（５０）であって、
無線ネットワークから受信されたメッセージに応答して、無線リソース制御（ＲＲＣ）接続状態からＲＲＣインアクティブ状態に入るための進入モジュールと（１４０２）と、
その後、前記ＲＲＣインアクティブ状態から前記ＲＲＣ接続状態に遷移すると、前記無線デバイス（５０）が前記ＲＲＣインアクティブ状態にある間に格納された１つまたは複数の測定構成に従って１つまたは複数の測定を再開するための実行モジュール（１４０４）と、
を含む無線デバイス（５０）。
【請求項２５】
１つまたは複数のネットワークノード（３０）であって、
ＲＲＣインアクティブ状態からＲＲＣ接続状態に遷移すると、無線デバイス（５０）が前記ＲＲＣインアクティブ状態にある間に格納された１つまたは複数の測定構成に従って１つまたは複数の測定を再開するように前記無線デバイス（５０）を構成するための構成モジュール（１３０２）を含む
１つまたは複数のネットワークノード（３０）。
【発明の詳細な説明】
【技術分野】
【０００１】
本願は、一般に無線通信ネットワークに関するものであり、より詳細には、ＲＲＣ接続のための測定構成を処理する技術に関するものである。
【背景技術】
【０００２】
ロングタームエボリューション（ＬＴＥ）リリース１３では、ユーザ装置（ＵＥ）がＲＲＣ＿ＩＤＬＥと同様の状態でネットワークから一時停止（サスペンド）される仕組みが導入されたが、ＵＥがアクセス層（ＡＳ）コンテキストまたはＲＲＣ（無線リソース制御）コンテキストを格納している点が異なる。これにより、ＵＥが再びアクティブになったときに、最初からＲＲＣ接続を確立するのではなく、ＲＲＣ接続を再開（レジューム）することで、シグナリングを減らすことが可能になる。シグナリングを減らすことで、インターネットにアクセスするＵＥの待ち時間が短縮されたり、データ送信量が非常に少ないマシンタイプデバイスのバッテリ消費量が削減されたりと、いくつかの利点が得られる可能性がある。ＬＴＥリリース１３のソリューションは、ＵＥがＲＲＣ接続再開要求（RRCConnectionResumeRequest）メッセージをネットワークに送信し、それに応答してネットワークからＲＲＣ接続再開（RRCConnectionResume）を受信することに基づいている。
【０００３】
第３世代パートナーシッププロジェクト（３ＧＰＰ）では、通称５Ｇと呼ばれる第５世代無線通信技術の仕様策定が進められている。５Ｇの新システムアーキテクチャ規格では、ＵＥが到達可能であることを確認するために、様々なステートマシンが導入されている。
【０００４】
Ｎ１上のシグナリング接続は、ＵＥとコアネットワーク間の非アクセス層（ＮＡＳ）シグナリング交換を可能にするために使用される。これは、ＵＥとＡＮとの間のＡＮ（アクセスノード）シグナリング接続と、ＡＮとアクセスおよびモビリティ機能（ＡＭＦ）との間のＮ２接続の両方で構成されている。ＵＥは、ＲＲＣ＿ＣＯＮＮＥＣＴＥＤ、ＲＲＣ＿ＩＮＡＣＴＩＶＥ、またはＲＲＣ＿ＩＤＬＥの状態になることができる。ＵＥは、ＲＲＣ接続が確立されている場合、ＲＲＣ＿ＣＯＮＮＥＣＴＥＤ状態またはＲＲＣ＿ＩＮＡＣＴＩＶＥ状態のいずれかである。そうでない場合（つまり、ＲＲＣ接続が確立されていない場合）、ＵＥはＲＲＣ＿ＩＤＬＥ状態になる。
【０００５】
ＲＲＣ＿ＩＤＬＥ状態では、ＵＥは、特定の機会にページングチャネルをリッスンし、セル（再）選択手順を実行し、システム情報をリッスンするように構成されている。ＲＲＣ＿ＩＮＡＣＴＩＶＥ状態では、ＵＥはページングチャネルをリッスンし、セル（再）選択手順を実行し、接続構成を維持するように構成されている。接続構成はネットワーク側にも保持されているため、必要に応じて（例えば、データがＵＥに到着したときなど）、データの送信を開始するための完全なセットアップ手順を必要としない。ＲＲＣ＿ＣＯＮＮＮＥＣＴＥＤ状態では、ＵＥとの間でデータの転送があり、ネットワークがモビリティを制御する。これは、ネットワークが、ＵＥを他のセルに引き渡すタイミングを制御することを意味する。ＲＲＣ＿ＣＯＮＮＥＣＴＥＤ状態では、ＵＥは、ＵＥのためのデータがあるかどうかに関連付けられたページングチャネルおよび制御チャネルを依然として監視する。ＵＥは、チャネル品質およびフィードバック情報をネットワークに提供し、隣接セル測定を実行し、これらの測定をネットワークに報告する。
【０００６】
３ＧＰＰの５Ｇ＿ＮＲの標準化作業の一環として、ニューラジオ（ＮＲ）は、ＬＴＥリリース１３のサスペンド状態と同様のプロパティを持つＲＲＣ＿ＩＮＡＣＴＩＶＥ状態をサポートする。ＲＲＣ＿ＩＮＡＣＴＩＶＥ状態は、ＬＴＥリリース１３のサスペンド状態とは若干性質が異なり、ＬＴＥのようにＲＲＣ＿ＩＤＬＥ状態の一部ではなく、別個のＲＲＣ状態となっている。また、コアネットワーク（ＣＮ）／無線アクセスネットワーク（ＲＡＮ）接続（ＮＧまたはＮ２インタフェース）は、ＬＴＥではサスペンド状態であったが、ＲＲＣ＿ＩＮＡＣＴＩＶＥ状態では保持される。図１Ａは、ＮＲにおけるＵＥのステートマシンと状態遷移を示す図であり、ＮＲの状態の特性については後述する。
【０００７】
ＲＲＣ＿ＩＤＬＥ状態の場合：ＵＥ固有の不連続受信（ＤＲＸ）は、上位レイヤで構成することができ；ＵＥ制御モビリティはネットワーク設定に基づく可能性があり；ＵＥは、５Ｇ−Ｓ−ＴＭＳＩ（Temporary Mobile Subscriber Identity）を使用してＣＮページング用のページングチャネルをモニタし；ＵＥは近隣セル測定とセル（再）選択を実行し；ＵＥはシステム情報を取得する。
【０００８】
ＲＲＣ＿ＩＮＡＣＴＩＶＥ状態の場合：ＵＥ固有のＤＲＸは、上位レイヤまたはＲＲＣレイヤで構成することができ；ＵＥ制御モビリティはネットワーク設定に基づく可能性があり；ＵＥはＡＳコンテキストを格納し；ＵＥは、５Ｇ−Ｓ−ＴＭＳＩを使用したＣＮページングとＩ−ＲＮＴＩ（Radio Network Temporary Identifier）を使用したＲＡＮページングのためのページングチャネルを監視し；ＵＥは近隣セルの測定とセル（再）選択を実行し；ＵＥはＲＡＮベースの通知エリア更新を定期的に実行し、ＲＡＮベースの通知領域の外に移動したときに；ＵＥはシステム情報を取得する。
【０００９】
ＲＲＣ＿ＣＯＮＮＥＣＴＥＤ状態の場合：ＵＥはＡＳコンテキストを格納し；ＵＥとの間でユニキャストデータの転送があり；下位レイヤでは、ＵＥはＵＥ固有のＤＲＸで構成されていてもよい。キャリアアグリゲーション（ＣＡ）をサポートするＵＥの場合、特別セル（ＳｐＣｅｌｌｌ）とアグリゲーションされた１つまたは複数のセカンダリセル（Ｓｃｅｌｌ）が、帯域幅の増加のために使用される。デュアルコネクティビティ（ＤＣ）をサポートするＵＥの場合、マスターセルグループ（ＭＣＧ）とアグリゲーションされたセカンダリセルグループ（ＳＣＧ）が、増加した帯域幅のために使用される。ネットワーク制御モビリティがあり、すなわち、ＮＲ内およびＥ−ＵＴＲＡＮとの間でのハンドオーバがある。ＵＥは、ページングチャネルを監視し、共有データチャネルに関連付けられた制御チャネルを監視してデータがスケジュールされているかどうかを判断し、チャネル品質とフィードバック情報を提供する。また、ＵＥは、隣接セル測定および測定レポートを実行し、システム情報を取得する。
【００１０】
解放インジケーションを伴うＲＲＣ＿ＩＤＬＥ状態の場合、ＵＥは、ＲＲＣ構成の一部を一時停止すべきであることを示すインジケーションを伴って、ネットワークによって解放される。そして、ＲＲＣ接続再開要求を送信し、応答としてＲＲＣ接続再開を受信した後、ＵＥは、以前に提供された接続設定を使用して、いくつかの接続手順を再開する。
【発明の概要】
【００１１】
ここでは、ＵＥのＲＲＣ接続動作を規定する標準規格（ＴＳ  ３ＧＰＰ  ＴＳ３６．３３１  ｖ１５．０．０．０）には、測定及び測定関連構成のための特定のＵＥの動作が存在しないことが認識されている。ネットワークが一時停止インジケーションでＵＥを解放したときに、ＵＥがどのように測定構成を処理するかは規定されていない。また、結果として、ＵＥを再開するメッセージを受信したときに、ＵＥが測定構成について何をすべきかも規定されていない。
【００１２】
より具体的には、ＮＲのＵＥがＲＲＣ＿ＣＯＮＮＥＣＴＥＤ状態からＲＲＣ＿ＩＮＡＣＴＩＶＥ状態に一時停止され、ＲＲＣ＿ＩＮＡＣＴＩＶＥ状態からＲＲＣ＿ＣＯＮＮＥＣＴＥＤ状態に再開された場合、ＵＥがＲＲＣ＿ＩＮＡＣＴＩＶＥ状態に一時停止されたときに、ＲＲＣ＿ＣＯＮＮＥＣＴＥＤ状態で受信した測定構成をどのように処理するかについては、明確な規定がない。例えば、ＴＳ３６．３３１では、ＵＥが接続を再開したときに、測定構成に使用されるＭｅａｓＣｏｎｆｉｇが再利用されるかどうか、また、再利用される場合にはどのような条件で再利用されるかについては規定されていない。ネットワーク（ＵＥをＲＲＣ＿ＩＮＡＣＴＩＶＥ状態に一時停止するソースネットワークノード）は、ＵＥをＲＲＣ＿ＩＮＡＣＴＩＶＥ状態に移動させる際に、以前に提供された測定構成を（完全にまたは部分的に）解放または一時停止しなければならないことが想定されている。残念ながら、標準仕様の曖昧さにより、ＵＥの動作が異なったり、接続の再開時にＵＥを再構成する際にネットワークが誤動作したりする可能性がある。
【００１３】
いくつかの実施形態によれば、無線ネットワークで動作する無線デバイスにおいて、測定構成を処理するための方法は、無線ネットワークから受信されたメッセージに応答して、ＲＲＣ接続状態からＲＲＣインアクティブ状態に入ることを含む。方法は、その後、ＲＲＣインアクティブ状態からＲＲＣ接続状態に遷移することと、無線デバイスがＲＲＣインアクティブ状態にある間に格納された１つまたは複数の測定構成に従って１つまたは複数の測定を再開することと、を含んでもよい。
【００１４】
いくつかの実施形態によれば、測定構成を処理するように構成された無線デバイスは、送受信機回路と、送受信機回路に動作的に関連付けられた処理回路と、を含む。処理回路は、無線ネットワークから受信したメッセージに応答して、ＲＲＣ接続状態からＲＲＣインアクティブ状態に入るように構成されている。処理回路はまた、その後、ＲＲＣインアクティブ状態からＲＲＣ接続状態に遷移し、無線デバイスがＲＲＣインアクティブ状態にある間に格納された１つまたは複数の測定構成に従って１つまたは複数の測定を再開するように構成されている。
【００１５】
いくつかの実施形態によれば、無線ネットワーク内のまたは接続された１つまたは複数のノードにおいて、測定構成の処理を提供するための方法は、無線デバイスがＲＲＣインアクティブ状態からＲＲＣ接続状態に遷移すると、無線デバイスがＲＲＣインアクティブ状態にある間に格納された１つまたは複数の測定構成に従って１つまたは複数の測定を再開するように、無線デバイスを構成することを含む。
【００１６】
いくつかの実施形態によれば、測定構成を処理するように構成された、無線ネットワーク内のまたは接続された１つまたは複数のノードは、送受信機回路と、送受信機回路に動作的に関連付けられた処理回路と、を含む。処理回路は、無線デバイスがＲＲＣインアクティブ状態からＲＲＣ接続状態に遷移すると、無線デバイスがＲＲＣインアクティブ状態にある間に格納された１つまたは複数の測定構成に従って１つまたは複数の測定を再開するように無線デバイスを構成するように構成される。
【００１７】
本実施形態は、利点を提供することができる。例えば、ＵＥがＲＲＣ＿ＩＮＡＣＴＩＶＥ状態に入ったときにすべての測定構成を解放することは、ソースノードがターゲットノードでのＵＥの再構成を簡単にするためにＵＥを一時停止する場合など、（異なる測定構成を持つ可能性のあるターゲットノードでのＵＥの再構成を簡単にするため）場合によっては利点とみなすことができる。その場合、コンテキストフェッチ時に、ターゲットノードは、フェッチされたＵＥコンテキストに従ってＵＥが格納したＭｅａｓＣｏｎｆｉｇを最初に理解し、デルタシグナリングをそれに適用する必要はない。一方、すべての測定構成を格納することにより、ネットワークは、通常のハンドオーバのようにデルタシグナリングを適用することができるので、ＵＥを再開するメッセージ（ＲＲＣ再開メッセージ）のサイズを最小限に抑えることが可能になる。
【００１８】
いくつかの実施形態では、少数のパラメータのみが格納または解放される場合、ネットワークの実施形態に応じて、ＵＥが解放および／または格納するパラメータを決定するための柔軟性がネットワークに提供される。これは、ネットワークがデルタシグナリングを適用するか、フルコンフィギュレーションを適用するかを含んでもよい。例えば、ビーム測定構成は、特定のキャリア上の測定が構成されている場合、特に興味深いものであってもよい。したがって、スポット的なＮＲカバレッジのために、ＵＥが周波数間セル再選択を実行しているかもしれないので、ビーム測定に関連する構成を解放した方が良いかもしれない。
【００１９】
別の例では、測定構成は、アイドル状態またはインアクティブ状態の測定に使用することができる。例えば、ＵＥは、接続モードで提供されるセル品質導出のためのパラメータ（例えば、連結閾値、平均化されるビームの最大数など）を使用して、ＲＲＣ＿ＩＮＡＣＴＩＶＥ状態でセル品質測定を実行することができる。
【００２０】
測定を一時停止するためのフレームワーク、特に以前に構成された測定のサブセットを提供する場合、そのフレームワークは、ＤＣまたはＣＡのセットアップを改善するためなど、ネットワークが再開時にＵＥに報告することを望むＲＲＣ＿ＩＮＡＣＴＩＶＥ状態の特定の測定のみを有効にするのに有用である。測定を再開するためのフレームワークを提供することに関しては、フル構成に依存するか、少なくともネットワーク内の特定のノードが同様に動作することを可能にすることを好む特定のネットワーク実装を簡素化するために有用である可能性がある。本明細書に開示された技術は、ＬＴＥおよびＮＲ、ならびに他の将来の技術の両方に適用可能である。
【００２１】
本発明のさらなる側面は、装置、無線デバイス（例えば、ＵＥ）、１つまたは複数のノード、上記に要約された方法に対応するコンピュータプログラム製品またはコンピュータ可読記憶媒体、および上記に要約された装置および無線デバイスの機能的な実施形態に向けられている。
【００２２】
もちろん、本発明は、上記の特徴および利点に限定されるものではない。当業者は、以下の詳細な説明を読み、添付の図面を見ると、追加の特徴および利点を認識するであろう。
【図面の簡単な説明】
【００２３】
【図１Ａ】ＮＲにおけるＵＥのステートマシンと状態遷移を示す図である。
【図１Ｂ】ＲＲＣ接続解除を説明する図である。
【図２】いくつかの実施形態に従った、例示的なネットワークノードを説明するブロック図である。
【図３】図２のネットワークノードのような１つまたは複数のノードで実行される、いくつかの実施形態に従った例示的な方法を説明するプロセスフロー図である。
【図４】いくつかの実施形態に従った、例示的な無線デバイスを例示するブロック図である。
【図５】いくつかの実施形態に従った、無線デバイスで実行される例示的な方法を例示するプロセスフロー図である。
【図６】いくつかの実施形態に従った、ＲＲＣ接続一時停止のための信号フローである。
【図７】いくつかの実施形態に従った、例示的な通信システムを説明する図である。
【図８】いくつかの実施形態に従った、部分的に無線接続を介してユーザ装置と基地局を介して通信するホストコンピュータの一般化されたブロック図である。
【図９】ホストコンピュータ、基地局、およびユーザ装置を含む通信システムに実装される方法を説明するフローチャートである。
【図１０】ホストコンピュータ、基地局、およびユーザ装置を含む通信システムに実装される方法を説明するフローチャートである。
【図１１】ホストコンピュータ、基地局、およびユーザ装置を含む通信システムに実装される方法を説明するフローチャートである。
【図１２】ホストコンピュータ、基地局、およびユーザ装置を含む通信システムに実装される方法を説明するフローチャートである。
【図１３】１つまたは複数のネットワークノードの一例の機能表現を説明するブロック図である。
【図１４】例示的な無線デバイスの機能表現を説明するブロック図である。
【発明を実施するための形態】
【００２４】
本開示されている技術は、５ＧＳ無線通信規格の文脈で説明されている。しかしながら、本技術は、ＬＴＥネットワークなどの他の無線通信ネットワークに一般的に適用可能であることが理解されるであろう。本開示されている技術および装置の範囲を理解する目的で、無線デバイスはＵＥであってもよい。しかしながら、これらの用語は、それらの無線デバイスが、携帯電話、スマートフォン、無線を備えたラップトップ、タブレットなどの消費者向けデバイスであっても、産業用アプリケーションで使用するための、またはモノのインターネット（ＩｏＴ）を可能にするためのマシンツーマシン（Ｍ２Ｍ）デバイスであっても、無線通信ネットワーク内のアクセス端末として動作するように構成された無線デバイスを指すものとして、より一般的に理解されるべきである。同様に、用語ｇＮＢは、一般に、無線通信システムにおける基地局またはアクセスネットワークノードを指すものと理解されるべきである。
【００２５】
図１Ｂは、３ＧＰＰ  ＴＳ３６．３３１  ｖ１５．０．０．０に記述されているＲＲＣ接続の解放（リリース）を示しているが、この記述に欠けているのは、ＵＥが一時停止（サスペンド）されたとき、およびＵＥがＲＲＣ接続を再開（レジューム）しようとしたときに、測定関連の構成がどうなるかについての仕様である。例えば、ＵＥが測定の実行を開始するときに、ＵＥが一時停止されたときに格納されていた以前に提供された測定構成を、ＵＥがどのように使用すべきかについての記述はない。ＴＳ３６．３３１の本文では、シグナリング無線ベアラ（ＳＲＢ）とデータ無線ベアラ（ＤＲＢ）が再開されることに言及しているが、以前に構成された測定が再開されることについては何も記述されていない。ＴＳ３６．３３１の本文では、ＲＲＣ接続再開メッセージにＭｅａｓＣｏｎｆｉｇを含めることができることに言及しているが、これは基本的に、ＵＥが測定構成手順を実行しなければならないと述べている。本文中には、ＭｅａｓＣｏｎｆｉｇがメッセージに含まれていない場合にＵＥが何をするかは記載されておらず、ＵＥがＲＲＣ＿ＩＮＡＣＴＩＶＥ状態にある間に格納されていた測定構成を使用することについては何も記載されていない。
【００２６】
本発明の実施形態では、ＲＲＣ接続状態への遷移に続いて、ＵＥがＲＲＣ＿ＩＮＡＣＴＩＶＥ状態にある間に格納されていた測定構成を再開することを特定している。いくつかの実施形態では、ＵＥがＲＲＣインアクティブ状態に入ったとき、およびＵＥが再開されてＲＲＣ接続状態に入ったときに、測定構成および測定に関連する動作を処理するためのＵＥ内のメカニズムも導入される。例示的な実施形態では、ＵＥにおける方法は、ＲＲＣ＿ＣＯＮＮＥＣＴＥＤ状態にある間に測定構成を受信し、それに応じて測定を実行することを含む。次に、ソースネットワークノードから送信されたメッセージ（ＲＲＣ一時停止メッセージや一時停止インジケーションのあるＲＲＣ解放メッセージなど）を受信して、ＲＲＣ＿ＩＮＡＣＴＩＶＥ状態に入ることを含む。方法はさらに、ＲＲＣ＿ＩＮＡＣＴＩＶＥ状態に遷移すると、ＲＲＣ＿ＣＯＮＮＥＣＴＥＤ状態からＲＲＣ＿ＩＮＡＣＴＩＶＥ状態に遷移する間の測定構成の処理に関連する動作のセットを実行することを含む。これには、測定を部分的または全体的に一時停止することを含めることがでる。これには、異なるトリガに応じて解放するなど、測定構成の処理に関連する動作のセットを実行することも含まれ得る。方法はまた、ＲＲＣ＿ＩＮＡＣＴＩＶＥからＲＲＣ＿ＣＯＮＮＥＣＴＥＤへの遷移時に、ＵＥがＲＲＣ＿ＩＮＡＣＴＩＶＥにある間に格納されていた測定構成を処理して、測定を再開することを含みうる。
【００２７】
一部の実施形態では、方法はまた、次のステップのうちの１つまたは複数のステップを実行することを含むことができる：ＲＲＣインアクティブ状態に入ることに応答または関連して、以前に受信した測定構成の処理に関連する動作のセットを実行すること、ＲＲＣインアクティブ状態に入ることに応答または関連して、１つまたは複数の以前に構成された測定を一時停止すること、およびＲＲＣインアクティブ状態にある間に、以前に受信した測定構成の処理に関連する動作のセットを実行すること。
【００２８】
ネットワーク側では、いくつかの実施形態によれば、測定構成の処理を提供するように構成された無線ネットワーク内または接続された１つまたは複数のノードにおける方法は、ＵＥがＲＲＣインアクティブ状態からＲＲＣ接続状態に遷移すると、ＵＥがＲＲＣインアクティブ状態にある間に格納された１つまたは複数の測定構成に従って１つまたは複数の測定を再開するようにＵＥを構成することから構成される。例えば、ＲＲＣ＿ＩＮＡＣＴＩＶＥ状態からＲＲＣ＿ＣＯＮＮＥＣＴＥＤ状態に遷移するＵＥは、ＵＥがＲＲＣ＿ＩＮＡＣＴＩＶＥ状態にある間に格納された、格納された測定構成を処理するように構成されてもよい。また、新たに提供された測定構成は、ネットワークからのＲＲＣ再開メッセージで提供されてもよい。ＲＲＣ＿ＩＮＡＣＴＩＶＥ状態からＲＲＣ＿ＣＯＮＮＥＣＴＥＤ状態への遷移時に、ＵＥは、ＵＥがＲＲＣ＿ＣＯＮＮＥＣＴＥＤ状態を再開する前に格納された測定構成を含めて、その測定を完全にまたは部分的に再開するようにインジケーションされうる。
【００２９】
１つまたは複数のネットワークノードは、ＵＥが以前のＲＲＣ接続状態からＲＲＣインアクティブ状態に遷移すると、ＲＲＣ＿ＣＯＮＮＥＣＴＥＤのＵＥ（またはＲＲＣ＿ＣＯＮＮＥＣＴＥＤに入るＵＥ）に測定構成を提供すること、ＲＲＣ一時停止メッセージまたは一時停止インジケーション付きのＲＲＣ解放メッセージを送信することでＵＥをＲＲＣ＿ＩＮＡＣＴＩＶＥ状態に移動させること、ＲＲＣ＿ＣＯＮＮＥＣＴＥＤ状態からＲＲＣ＿ＩＮＡＣＴＩＶＥ状態への遷移中に、測定構成の処理に関連する動作のセットを実行するようにＲＲＣ＿ＩＮＡＣＴＩＶＥ状態に入るＵＥを構成すること、ＲＲＣ＿ＩＮＡＣＴＩＶＥ状態に入るＵＥを部分的または全体的に測定を一時停止するように構成すること、ＲＲＣ＿ＩＮＡＣＴＩＶＥ状態に入るＵＥがＲＲＣ＿ＩＮＡＣＴＩＶＥ状態にある間、ＵＥが異なるトリガに基づいて解放するなどの測定構成の処理に関連する動作のセットを実行するように、トリガを使用してＲＲＣ＿ＩＮＡＣＴＩＶＥ状態に入るＵＥを構成すること、など、他の動作を実行することもできる。
【００３０】
したがって、ネットワークノードまたはノードにおける対応する実施形態は、測定構成を処理するための方法を含んでもよい。この方法は、以下のうちの１つまたは複数を実行するように、ＲＲＣ接続状態からＲＲＣインアクティブ状態に入る無線デバイスを構成することを含む：ＲＲＣインアクティブ状態に入ることに応答または関連して、測定構成の処理に関連する動作のセット、ＲＲＣインアクティブ状態に入ることに応答または関連して、以前に構成された１つまたは複数の測定の一時停止、およびＲＲＣインアクティブ状態にある間の測定構成の処理に関連する動作のセット。
【００３１】
ＮＲでは、ＵＥが測定するように構成されている周波数に応じたギャップの必要性、ビーム報告の必要性（主に、より高い周波数で適用される場合や、ハンドオーバアルゴリズムがその入力をサポートしている場合）、異なるイベント用に構成される参照信号（ＲＳ）タイプ（同期信号ブロック（ＳＳＢ）またはチャネル状態情報ＲＳ（ＣＳＩ−ＲＳ））、ＵＥが構成される可能性のある異なる帯域幅部分に存在する可能性のあるＭｅａｓＣｏｎｆｉｇなど、異なる変数に応じて、ＬＴＥの場合とは全く異なる方法でＭｅａｓＣｏｎｆｉｇが調整される場合がある。
【００３２】
図２は、上述したような測定構成を処理するように構成されてもよい例示的なネットワークノード３０を示すブロック図である。ネットワークノード３０は、上述した技術を実行するクラウドベースシステム内の複数のネットワークノードのうちの１つであってもよい。ネットワークノード３０は、例えば、ｅＮＢまたは５ＧのｇＮＢであってもよい。ネットワークノード３０は、アンテナ３４および送受信機回路３６を介して実装されたダウンリンク送信およびアップリンク受信のための無線デバイス、例えば５Ｇエアインタフェースを提供する。送受信機回路３６は、セルラー通信、または必要に応じてＷＬＡＮサービスを提供する目的で、無線アクセス技術に従って信号を送受信するように集合的に構成された送信回路、受信回路、および関連する制御回路を含む。様々な実施形態によれば、セルラー通信サービスは、３ＧＰＰセルラー規格、ＧＳＭ、ＧＰＲＳ、ＷＣＤＭＡ（登録商標）、ＨＳＤＰＡ、ＬＴＥ、ＬＴＥ−Ａｄｖａｎｄａｎｄ、および５Ｇのうちの任意の１つまたは複数に従って動作してもよい。ネットワークノード３０はまた、コアネットワーク内のノード、他のピア無線ノード、および／またはネットワーク内の他のタイプのノードと通信するための通信インタフェース回路３８を含む。
【００３３】
ネットワークノード３０はまた、通信インタフェース回路３８および／または送受信機回路３６を制御するように動作的に関連して構成された１つまたは複数の処理回路３２を含む。処理回路３２は、１つまたは複数のデジタルプロセッサ４２、例えば、１つまたは複数のマイクロプロセッサ、マイクロコントローラ、デジタル信号プロセッサ（ＤＳＰ）、フィールドプログラマブルゲートアレイ（ＦＰＧＡ）、複合プログラマブル論理デバイス（ＣＰＬＤ）、特定用途向け集積回路（ＡＳＩＣ）、またはそれらの任意の組み合わせで構成される。より一般的には、処理回路３２は、固定回路、または本明細書で教示された機能を実装するプログラム命令の実行を介して特別に構成されたプログラマブル回路から構成されてもよく、または固定回路とプログラマブル回路のいくつかの組み合わせから構成されてもよい。プロセッサ（複数可）４２は、マルチコアであってもよい。
【００３４】
処理回路３２はまた、メモリ４４を含む。メモリ４４は、いくつかの実施形態では、１つまたは複数のコンピュータプログラム４６、およびオプションで構成データ４８を格納する。メモリ４４は、コンピュータプログラム４６のための非一時的記憶装置を提供し、それは、ディスク記憶装置、ソリッドステート記憶装置、またはそれらの任意の組み合わせなどの１種以上のコンピュータ可読媒体を構成してもよい。非限定的な例として、メモリ４４は、ＳＲＡＭ、ＤＲＡＭ、ＥＥＥＰＲＯＭ、及びフラッシュメモリのうちの任意の１つまたは複数を構成してもよく、これらは、処理回路３２内にあってもよく、及び／又は処理回路３２とは別個にあってもよい。一般に、メモリ４４は、コンピュータプログラム４６およびネットワークノード３０によって使用される任意の構成データ４８の非一時的記憶を提供する１種類以上のコンピュータ可読記憶媒体から構成される。ここで、「非一時的」とは、永久的、半永久的、または少なくとも一時的に永続的なストレージを意味し、不揮発性メモリ内の長期ストレージと、例えばプログラム実行のためのワーキングメモリ内のストレージとの両方を包含する。
【００３５】
いくつかの実施形態では、無線ネットワークに接続された１つまたは複数のネットワークノード３０の処理回路３２は、測定構成を処理するための動作を実行するように構成されている。処理回路３２は、ＲＲＣ接続状態からＲＲＣインアクティブ状態に入る無線デバイスが、以下のうちの１つまたは複数を実行するように構成されている：ＲＲＣインアクティブ状態に入ることに応答または関連して、測定構成の処理に関連する動作のセット、ＲＲＣインアクティブ状態に入ることに応答または関連して、１つまたは複数の以前に構成された測定の一時停止、およびＲＲＣインアクティブ状態にある間の測定構成の処理に関連する動作のセットを実行するように構成されている。
【００３６】
いくつかの実施形態によれば、処理回路３２はまた、ＲＲＣインアクティブ状態からＲＲＣ接続状態への遷移時に、無線デバイスがＲＲＣインアクティブ状態にある間に格納された１つまたは複数の測定構成に従って１つまたは複数の測定を再開するように構成されている。上述した構成動作は、無線デバイスについて以下に説明するバリアントのいずれかに従って動作するように無線デバイスを構成することを含んでもよいことが理解されるであろう。
【００３７】
処理回路３２はまた、図３に示すように、対応する方法３００を実行するように構成される。測定構成の処理を提供するために、無線ネットワーク内または接続された１つまたは複数のノード３０における方法３００は、オプションで、ＲＲＣ接続状態からＲＲＣインアクティブ状態に入る無線デバイスを構成して、以下のうちの１つまたは複数を実行すること（ブロック３０２）を含んでもよい：ＲＲＣインアクティブ状態に入ることに応答または関連して、測定構成の処理に関連する動作のセット；ＲＲＣインアクティブ状態に入ることに応答または関連して、１つまたは複数の以前に構成された測定の一時停止；およびＲＲＣインアクティブ状態にある間の測定構成の処理に関連する動作のセット。方法３００は、無線デバイスがＲＲＣインアクティブ状態からＲＲＣ接続状態に遷移すると、無線デバイスがＲＲＣインアクティブ状態にある間に格納された１つまたは複数の測定構成に従って１つまたは複数の測定を再開するように無線デバイスを構成すること（ブロック３０４）を含む。
【００３８】
図４は、測定構成を処理するための無線デバイスについて本明細書で説明した技術を実行するように構成された、対応する無線デバイス５０の例を示す。無線デバイス５０はまた、様々な文脈において、無線通信デバイス、ＵＥ、ターゲットデバイス、デバイス間（Ｄ２Ｄ）ＵＥ、マシンタイプＵＥ、またはマシン間（Ｍ２Ｍ）通信が可能なＵＥ、センサを搭載したＵＥ、ＰＤＡ（パーソナルデジタルアシスタント）、無線タブレット、携帯端末、スマートフォン、ラップトップ内蔵装置（ＬＥＥ）、ラップトップ搭載装置（ＬＭＥ）、無線ＵＳＢドングル、顧客構内装置（ＣＰＥ）などと呼ばれてもよい。
【００３９】
無線デバイス５０は、アンテナ５４および送受信機回路５６を介して、１つまたは複数のネットワークノード３０などの１つまたは複数の無線ノードまたは基地局と通信する。送受信機回路５６は、セルラー通信サービスを提供する目的で、無線アクセス技術に従って信号を送受信するように集合的に構成された送信回路、受信回路、および関連する制御回路を含んでもよい。
【００４０】
無線デバイス５０はまた、無線送受信機回路５６と動作的に関連し、制御する１つまたは複数の処理回路５２を含む。処理回路５２は、１つまたは複数のデジタル処理回路、例えば、１つまたは複数のマイクロプロセッサ、マイクロコントローラ、ＤＳＰ、ＦＰＧＡ、ＣＰＬＤ、ＡＳＩＣ、またはそれらの任意の組み合わせからなる。より一般的には、処理回路５２は、固定回路、または本明細書で教示された機能を実装するプログラム命令の実行を介して特別に適合されたプログラム可能な回路で構成されてもよく、または固定回路とプログラムされた回路のいくつかの混合物で構成されてもよい。処理回路５２は、マルチコアであってもよい。
【００４１】
処理回路５２はまた、メモリ６４を含む。メモリ６４は、いくつかの実施形態では、１つまたは複数のコンピュータプログラム６６およびオプションで構成データ６８を格納する。メモリ６４は、コンピュータプログラム６６のための非一時的記憶装置を提供し、それは、ディスク記憶装置、ソリッドステート記憶装置、またはそれらの任意の混合物などの１種以上のコンピュータ可読媒体を構成してもよい。非限定的な例として、メモリ６４は、ＳＲＡＭ、ＤＲＡＭ、ＥＥＥＰＲＯＭ、及びフラッシュメモリのうちの任意の１つまたは複数を構成し、これらは、処理回路５２内にあってもよく、及び／又は処理回路５２とは別個にあってもよい。一般に、メモリ６４は、コンピュータプログラム６６および無線デバイス５０によって使用される任意の構成データ６８の非一時的記憶を提供する１種以上のコンピュータ可読記憶媒体を構成する。
【００４２】
したがって、いくつかの実施形態では、無線デバイス５０の処理回路５２は、無線ネットワークから受信したメッセージに応答して、ＲＲＣ接続状態からＲＲＣインアクティブ状態に入ることにより、無線ネットワーク内で動作し、測定構成を処理するように構成されている。処理回路５２は、以下のステップのうちの１つまたは複数を実行するように構成されている：ＲＲＣインアクティブ状態に入ることに応答または関連して、以前に受信した測定構成の処理に関連する動作のセットを実行すること；ＲＲＣインアクティブ状態に入ることに応答または関連して、以前に構成された１つまたは複数の測定を一時停止すること；およびＲＲＣインアクティブ状態にある間、以前に受信した測定構成の処理に関連する動作のセットを実行すること。
【００４３】
いくつかの実施形態では、処理回路５２は、その後、無線デバイス５０をＲＲＣインアクティブ状態からＲＲＣ接続状態に遷移させ、無線デバイス５０がＲＲＣインアクティブ状態にある間に格納された１つまたは複数の測定構成に従って１つまたは複数の測定を再開するように構成されている。
【００４４】
図５は、測定構成を処理するために無線デバイス５０に実装された対応する方法５００を示すプロセスフロー図である。方法５００は、無線ネットワークから受信したメッセージに応答して、ＲＲＣ接続状態からＲＲＣインアクティブ状態に入ること（ブロック５０２）を含む。方法５００は、以下のステップのうちの１つまたは複数を実行すること（ブロック５０４）を含み得る：ＲＲＣインアクティブ状態に入ることに応答または関連して、以前に受信した測定構成の処理に関連する動作のセットを実行すること；ＲＲＣインアクティブ状態に入ることに応答または関連して、１つまたは複数の以前に構成された測定を一時停止すること；およびＲＲＣインアクティブ状態にある間、以前に受信した測定構成の処理に関連する動作のセットを実行すること。方法５００はまた、ＲＲＣインアクティブ状態に入ることに続いて、ＲＲＣインアクティブ状態からＲＲＣ接続状態に遷移すること（ブロック５０６）、無線デバイス５０がＲＲＣインアクティブ状態にある間に格納された１つまたは複数の測定構成に従って１つまたは複数の測定を再開すること（ブロック５０８）を含む。１つまたは複数の測定構成は、ブロック５０４で実行された動作の一部として格納されていてもよい。
【００４５】
再開は、新しい測定構成を含まないＲＲＣ再開メッセージを受信したことに応答して、選択的に実行されてもよい。測定の再開は、無線デバイスがＲＲＣインアクティブ状態にある間に格納された１つまたは複数の測定構成に従ったものであってもよく、新しい測定構成を含むＲＲＣ再開メッセージを受信することにかかわらず実行されてもよい。格納された１つまたは複数の測定構成に従って測定を再開することは、ＲＲＣインアクティブ状態の間に受信したＲＲＣ再開メッセージに含まれる測定構成情報を用いて、格納された１つまたは複数の測定構成を調整することを含んでもよい。
【００４６】
いくつかの実施形態では、ＲＲＣインアクティブ状態に入ることに応答または関連して、以前に受信した測定構成の処理に関連する動作のセットを実行することは、ＲＲＣインアクティブ状態に入る時点で存在する測定構成のすべてまたはサブセットを格納することを含んでもよい。格納は、その後、測定構成または測定構成のサブセットを解放すべきではないというインジケーションを受信したことに応答して、選択的に実行されてもよい。格納は、無線デバイスに明示的にインジケーションされた１つまたは複数のフィールドを除くすべての既存の測定構成を格納することを含んでもよい。
【００４７】
いくつかの実施形態では、以前に受信した測定構成の処理に関連する動作のセットを実行することは、ＲＲＣインアクティブ状態に入ることに応答して、またはＲＲＣインアクティブ状態に入る時点で存在する測定構成のすべてまたはサブセットを解放することを含んでもよい。解放は、測定構成または測定構成のサブセットを解放すべきであるというインジケーションを受信したことに応答して、選択的に実行されてもよい。解放は、無線デバイスに明示的にインジケーションされた１つまたは複数のフィールドを除く既存のすべての測定構成を解放することを含んでもよい。
【００４８】
いくつかの実施形態では、一時停止は、測定を一時停止すべきであるというインジケーションを受信することに応答して、選択的に実行されてもよい。一時停止は、無線デバイスに明示的にインジケーションされた１つまたは複数の測定を除いて、既存のすべての測定を一時停止することを含んでもよい。
【００４９】
いくつかの実施形態では、ＲＲＣインアクティブ状態にある間に、以前に受信した測定構成の処理に関連する動作のセットを実行することは、１つまたは複数の事前定義されたトリガイベントのセットに応答して、格納された測定構成のすべてまたは１つまたは複数の部分を解放することを含んでもよい。事前定義されたトリガイベントのセットには、以下のうちの１つまたは複数が含まれる可能性がある：セルの再選択、ＮＲ内および５ＧＣに接続されたＬＴＥセルの再選択、ＲＡＴ内セルの再選択、周波数間セルの再選択、ＲＲＣによって構成されたタイマの満了（例えば、ＲＲＣ一時停止メッセージで新しいＲＡＮエリアに入ること、定期的なＲＡＮエリアの更新の実行、（例えば、ＲＲＣ再開要求を送信することによる）再開の試行およびＲＲＣ接続セットアップメッセージを受信すること（再開フォールバック手順）、および（例えば、無線デバイスをカバーするダウンリンクビームのセットが変化したことを検出することによる）セルカバレッジの変化。
【００５０】
いくつかの実施形態によれば、ＲＲＣ仕様からの以下の測定構成ＩＥのＭｅａｓｅＣｏｎｆｉｇを想定してもよい。したがって、以下に示すＩＥのオプションのフィールドまたはフィールドのセットは、部分的な測定構成の文脈において「１つの測定構成」とみなすことができる。例は例示目的で提供されているが、いくつかの実施形態では、そのメッセージ内の新しいフィールドも実施形態によって処理され得る、ＭｅａｓＣｏｎｆｉｇＩＥの使用の拡張をカバーすることができることに注意する。ＭｅａｓａＣｏｎｆｉｇＩＥは、ＵＥによって実行される測定を指定し、周波数内移動度、周波数間移動度、およびＲＡＴ間移動度、ならびに測定ギャップの構成をカバーする。ＭｅａｓｅＣｏｎｆｉｇＩＥの例を以下に示す。
【００５１】
ASN1START
-- TAG-MEAS-CONFIG-START
MeasConfig ::=    SEQUENCE {
-- Measurement objects
measObjectToRemoveList
MeasObjectToRemoveList
OPTIONAL,    -- Need N
measObjectToAddModList
MeasObjectToAddModList
OPTIONAL,    -- Need N
-- Reporting configurations
reportConfigToRemoveList
ReportConfigToRemoveList
OPTIONAL,    -- Need N
reportConfigToAddModList
ReportConfigToAddModList
OPTIONAL,    -- Need N
-- Measurement identities
measIdToRemoveList
MeasIdToRemoveList
OPTIONAL,    -- Need N
measIdToAddModList
MeasIdToAddModList
OPTIONAL,    -- Need N
-- Other parameters
--s-Measure config
s-MeasureConfig
CHOICE {
ssb-RSRP
RSRP-Range,
csi-RSRP
RSRP-Range
}
OPTIONAL,    -- Need M
quantityConfig
QuantityConfig
OPTIONAL,    -- Need M
--Placehold for measGapConfig
measGapConfig
MeasGapConfig
OPTIONAL,    -- Need M
...
}
MeasObjectToRemoveList ::=    SEQUENCE (SIZE (1..maxNrofObjectId))
OF MeasObjectId
MeasIdToRemoveList ::=    SEQUENCE (SIZE (1..maxNrofMeasId))
OF MeasId
ReportConfigToRemoveList ::=    SEQUENCE (SIZE (1..maxReportConfigId))
OF ReportConfigId
-- TAG-MEAS-CONFIG-STOP
-- ASN1STOP
【００５２】
様々な実施形態では、測定構成は、上に示された構造に従って、ＵＥによって維持される測定構成の中の少なくとも１つのフィールドを参照するか、または含むことができる（特に、ＵＥが一時停止されたときに任意の種類のデュアルコネクティビティにない場合）。測定構成はまた、所与の特別セル（ＳｐＣｅｌｌ）（プライマリセル（ＰＣｅｌｌ）、プライマリセカンダリセル（ＰＳＣｅｌｌ）、またはマルチコネクティビティの場合には所与のセルグループ内の任意のプライマリセル）または無線アクセス技術（ＲＡＴ）（例えば、ＮＲ、ＬＴＥ、他の任意の３ＧＰＰのＲＡＴ、他の任意の非３ＧＰＰのＲＡＴ）またはシステムに関連付けられた、上述した構造全体を参照するか、または含むことができる。例えば、ＥＮ−ＤＣ（ＥＵＴＲＡＮ／ＮＲ−デュアルコネクティビティ）のような、ＲＡＴ間デュアルコネクティビティのＵＥは、２つの測定構成を有することができる。したがって、測定構成を格納することは、測定構成内の１つのフィールドを格納すること、または１つのＲＡＴに関連付けられた測定構成全体を格納することを指す場合がある。
【００５３】
以下、いくつかの実施形態によれば、ＵＥが取ることができる様々な動作を説明する。第１の例示的な動作では、ＲＲＣ＿ＩＮＡＣＴＩＶＥ状態に入ると、ＵＥは、ＲＲＣ＿ＣＯＮＮＮＥＣＴＥＤ状態からＲＲＣ＿ＩＮＡＣＴＩＶＥ状態へのこの遷移の間の測定構成の処理に関連する動作のセットを実行してもよい。これは、以下の動作のうちの１つであってもよいし、それらの組み合わせであってもよい。第１の動作は、ＵＥの現在のＭｅａｓＣｏｎｆｉｇに既存のすべての測定構成（フィールド）を格納することである。別の例では、ＲＲＣ一時停止（または同等の）メッセージにＭｅａｓＣｏｎｆｉｇを解放しない旨のインジケーションが含まれている場合、ＵＥは、ＲＲＣ＿ＩＮＡＣＴＩＶＥ状態に入ったときにその動作を常に実行する。別の解決策では、ＵＥは、ＭｅａｓＣｏｎｆｉｇを含む最新のメッセージ（例えば、ＲＲＣ再構成メッセージ）に、ＲＲＣ＿ＩＮＡＣＴＩＶＥ状態に入る際にＭｅａｓＣｏｎｆｉｇを解放しない旨のインジケーションが含まれている場合、ＲＲＣ＿ＩＮＡＣＴＩＶＥ状態に入る際にその動作を実行する。ＵＥは、明示的にインジケーションされたフィールドを除くすべての既存の測定構成を格納することができる。この明示的なインジケーションは、各フィールドについてＵＥをＲＲＣ＿ＩＮＡＣＴＩＶＥ状態に一時停止するメッセージ（ＲＲＣ一時停止）の中で提供されてもよい。別の例では、その明示的なインジケーションは、ＵＥが受信した各ＭｅａｓＣｏｎｆｉｇＩＥで提供されてもよく、ＲＲＣ＿ＩＮＡＣＴＩＶＥ状態になったときにフィールドが解放されるかどうか、または解放されることを示す他の明示的なインジケーションがあるまでの間、各フィールドについて解放されるかどうかを示している。ＵＥは、事前定義された測定構成のサブセットを格納することができる。これは、例えば、フィールドの必要性コードを介して、仕様で事前に定義されていてもよい。
【００５４】
格納された測定構成の一部は破棄されてもよい。ＵＥは、既存のすべての測定構成を解放してもよい。ある場合、ＵＥは、ＲＲＣ＿ＩＮＡＣＴＩＶＥに入ると、常にその動作を実行する。別のケースでは、ＲＲＣ一時停止（または同等の）メッセージにＭｅａｓＣｏｎｆｉｇ全体（すべての測定構成）を解放するインジケーションが含まれている場合、ＵＥはＲＲＣ＿ＩＮＡＣＴＩＶＥに入ったときにその動作を実行する。別のケースでは、最新のメッセージ（例えば、ＲＲＣ再構成メッセージ）に、ＲＲＣ＿ＩＮＡＣＴＩＶＥ状態に入った時に、ＭｅａｓＣｏｎｆｉｇを解放するインジケーションが含まれている場合、ＵＥは、ＲＲＣ＿ＩＮＡＣＴＩＶＥ状態に入った時に、その動作を実行する。
【００５５】
場合によっては、ＵＥは、明示的にインジケーションされたフィールドを除くすべての既存の測定構成を解放することができる。この明示的なインジケーションは、各フィールドについてＵＥをＲＲＣ＿ＩＮＡＣＴＩＶＥ状態にサスペンドするメッセージ（ＲＲＣ一時停止）の中で提供されてもよい。別の例では、その明示的なインジケーションは、ＵＥが受信した各ＭｅａｓＣｏｎｆｉｇＩＥで提供され、ＲＲＣ＿ＩＮＡＣＴＩＶＥ状態になったときにそれらを解放してはならないことをフィールドごとに示すことができる。他のケースでは、ＵＥは、事前定義された測定構成のサブセットを解放する。これは、例えば、フィールドの必要性コードを介して、仕様で事前定義されていてもよい。ＲＲＣ＿ＩＤＬＥ状態に入るためのニーズコードは、ＲＲＣ＿ＩＮＡＣＴＩＶＥ状態とは異なる場合がある。
【００５６】
ＵＥがＲＲＣ＿ＣＯＮＮＮＥＣＴＥＤ状態からＲＲＣ＿ＩＮＡＣＴＩＶＥ状態に遷移しているときに、任意の形態のＤＣまたはマルチコネクティビティで構成されたＵＥの場合、ＵＥは、各セルグループ（異なるＲＡＴからのものであってもよい）に関連付けられた１つのＭｅａｓｅＣｏｎｆｉｇを有していてもよい。その場合、上述したように、測定構成は、セルグループに関連付けられていると解釈することができる。したがって、前述の説明はまだ適用可能である。その上、そのＤＣの場合、測定構成は、セルグループに関連付けられた各ＭｅａｓＣｏｎｆｉｇ内の１つのフィールドとして解釈することができるが、ここでも前述の説明が適用される。
【００５７】
ＲＲＣ＿ＩＮＡＣＴＩＶＥに入ったときに「すべての」測定構成を解放することは、少なくともいくつかのケースでは利点と見なすことができる。例えば、ソースノード（ＵＥを一時停止している）がターゲットノードでのＵＥの再構成を単純化することを目的としている場合、ターゲットノードには異なる測定構成がある可能性があります。その場合、コンテキストフェッチ時に、ターゲットノードは、フェッチされたＵＥコンテキストに従って、ＵＥが格納したＭｅａｓＣｏｎｆｉｇを最初に理解し、それにデルタシグナリングを適用する必要はない。一方、「すべてを格納する」ことは、ネットワークが任意の通常のハンドオーバとしてデルタシグナリングを適用することができるように、ＵＥを再開するメッセージ（例えば、ＲＲＣ再開メッセージ）の最小サイズを縮小する可能性を提供する。
【００５８】
いくつかのパラメータのみが格納されるか、または解放されるかのいずれかである異なるバリエーションは、ネットワークの実装に応じて、ＵＥが解放および／または格納するべきパラメータを決定するための柔軟性をネットワークに提供する。これは、ネットワークがデルタシグナリングを適用するか、フルコンフィギュレーションを適用するかを含むことができる。例えば、ビーム測定構成は、特定のキャリア上の測定が構成されている場合に特に興味深いものであってもよい。したがって、ＵＥは、スポット的なＮＲカバレッジのために周波数間セル再選択を実行しているかもしれないので、ビーム測定に関連する構成を解放した方が良いかもしれない。
【００５９】
測定構成がどのように使用され得るかの別の例は、アイドルモードまたはインアクティブモードの測定のためのその使用である。例えば、ＵＥは、接続モードで提供されるセル品質導出のためのパラメータ（例えば、連結閾値、平均化されるビームの最大数など）を使用して、ＲＲＣ＿ＩＮＡＣＴＩＶＥ状態でセル品質測定を実行してもよい。
【００６０】
第２の例示的な動作では、ＵＥは、ＲＲＣ＿ＩＮＡＣＴＩＶＥ状態に入ると、測定を部分的にまたは全体的に一時停止してもよい。すべての測定を一時停止することに関して、ある場合、ＵＥは、ＲＲＣ＿ＩＮＡＣＴＩＶＥ状態に入ると、常にその動作を実行する。別の場合、ＵＥは、ＲＲＣ一時停止（または同等の）メッセージに測定の一時停止のインジケーションが含まれている場合、ＲＲＣ＿ＩＮＡＣＴＩＶＥ状態に入るときにその動作を実行する。それ以外の場合、ＵＥは測定を実行し続ける。別のケースでは、ＭｅａｓＣｏｎｆｉｇを含む最新のメッセージ（例：ＲＲＣ再構成メッセージ）に、ＲＲＣ＿ＩＮＡＣＴＩＶＥ状態に入ったときに測定を一時停止しない旨のインジケーションが含まれている場合、ＵＥは、ＲＲＣ＿ＩＮＡＣＴＩＶＥ状態に入ったときにその動作を実行する。
【００６１】
ＵＥは、明示的にインジケーションされたフィールドを除いて、既存のすべての測定構成を一時停止することができる。この明示的なインジケーションは、各フィールドについて、ＵＥをＲＲＣ＿ＩＮＡＣＴＩＶＥ状態に一時停止するメッセージ（ＲＲＣ一時停止）の中で提供されてもよい。別のケースでは、その明示的なインジケーションは、ＵＥが受信する可能性のある各ＭｅａｓＣｏｎｆｉｇＩＥで提供されてもよく、ＲＲＣ＿ＩＮＡＣＴＩＶＥ状態になったときに、それらが解放されるかどうか、または解放されることを示す他の明示的なインジケーションがあるまで、各フィールドについて解放されるべきかどうかを示すものである。すべての測定を一時停止しないことは、ネットワークがＲＲＣ＿ＩＮＡＣＴＩＶＥのＵＥに測定を実行して報告するようにインジケーションしたい場合に有用であり、ネットワークは、ＲＲＣ接続を再開する前であっても、デュアル接続および／またはキャリアアグリゲーションを実行するための教育的な意思決定を行うことができる。これらの測定値は、ＵＥがＲＲＣ接続を再開しているとき（ＲＲＣ再開要求とのまたは後の多重化またはＲＲＣ再開完了とのまたは後の多重化など）、またはＵＥがＲＲＣ接続を再開しているとき（ＲＲＣ再開要求とのまたは後の多重化など）に報告される可能性がある。
【００６２】
ＵＥは、事前定義された測定構成のサブセットを一時停止することもできる。これは、例えば、フィールドのニーズコードを介して、仕様で事前定義されていてもよい。測定を一時停止すると、ＵＥは、以前に実行されたすべての測定を削除し、測定に関連するタイマと変数をリセットする。
【００６３】
第３の例の動作では、ＵＥは、ＲＲＣ＿ＩＮＡＣＴＩＶＥ状態の間に、異なるトリガに応じて解放するなど、測定構成の処理に関連する動作のセットを実行してもよい。第１の例では、ＲＲＣ一時停止メッセージ（または同等のメッセージ）でインジケーションされた内容に応じて、測定構成の解放に関連する動作のセットを実行する。ここで、第３の例の動作では、蓄積された測定構成の完全解放および／または蓄積された測定構成の一部は、ＵＥがＲＲＣ＿ＩＮＡＣＴＩＶＥ状態にある間に異なるイベントによってトリガされ、これらのイベントは、事前定義されているか、またはネットワークによって（例えば、ＲＲＣ一時停止メッセージ内で）構成されているかのいずれかである。ＵＥが測定構成を解放するためにトリガできるイベントの例としては、任意の形式のセル再選択のトリガ、ＮＲ内および５ＧＣに接続されたＬＴＥセルでの任意の形式のセル再選択のトリガ、ＲＡＴ内セル再選択のトリガ、周波数間セル再選択のトリガ、ＲＲＣによって構成されたタイマの満了（例：ＲＲＣ一時停止メッセージ内）、新しいＲＡＮエリアに入る（すなわち、ＲＡＮベース通知エリア（ＲＮＡ）更新を実行する前）、ＲＡＮエリアの定期的な更新を実行する、（例えば、ＲＲＣ再開要求メッセージを送信して）接続の再開を試行しＲＲＣ接続セットアップ（フォールバック手順を再開する）を受信する、または（例えば、ＵＥをカバーするダウンリンクビームのセットが変更されたことを検出することによって）セルカバレッジを変更することを含む。これらの動作トリガーの少なくともいくつかは、ネットワークによっても検出され得ることに注意する（例えば、ＲＮＡの更新、タイマの満了など）。したがって、ネットワークがＲＲＣ接続を再開しようとするＵＥのＵＥコンテキストを取得するとき、ネットワークは、ＵＥが測定構成を格納しているかどうか、およびデルタシグナリングを適用できるかどうかを知っている。
【００６４】
第４の例の動作では、ＵＥは、ＲＲＣ＿ＩＮＡＣＴＩＶＥ状態からＲＲＣ＿ＣＯＮＮＥＣＴＥＤ状態に遷移する際に、ＵＥがＲＲＣ＿ＩＮＡＣＴＩＶＥ状態にある間に格納された測定構成を処理することができる。ＲＲＣ再開メッセージ、またはＵＥにＲＲＣ接続を再開してＲＲＣ＿ＣＯＮＮＥＣＴＥＤ状態に入るようにインジケーションする同等のメッセージを受信すると、ＵＥは、格納されている測定構成を適用する。ある場合には、ＲＲＣ再開メッセージにＭｅａｓＣｏｎｆｉｇが含まれていない場合、ＵＥは、格納されているＭｅａｓＣｏｎｆｉｇを現在のものとみなす。そうでない場合、ＲＲＣ再開メッセージにＭｅａｓＣｏｎｆｉｇが含まれている場合、ＵＥは格納されているＭｅａｓＣｏｎｆｉｇを新たに提供されたＭｅａｓＣｏｎｆｉｇで上書きする。別のケースでは、ＲＲＣ再開メッセージにＭｅａｓＣｏｎｆｉｇが含まれていない場合、ＵＥは格納されているＭｅａｓＣｏｎｆｉｇを現在のものとみなす。そうでない場合、ＲＲＣ再開メッセージにＭｅａｓＣｏｎｆｉｇが含まれている場合、ＵＥは、新たに提供されたＭｅａｓＣｏｎｆｉｇを使用して、その格納されているＭｅａｓＣｏｎｆｉｇにデルタシグナリングを適用する。
【００６５】
ＲＲＣ再開メッセージ、または、ＵＥにＲＲＣ接続を再開してＲＲＣ＿ＣＯＮＮＥＣＴＥＤ状態に入るようにインジケーションする任意の同等のメッセージは、さらなる測定構成がデルタシグナリング（すなわち、構成の変更のみを示すシグナリング）を適用する必要がないように、測定構成を解放するためのＵＥへのインジケーションを含んでいてもよい。
【００６６】
第５の例示的な動作では、ＵＥは、ＲＲＣ＿ＩＮＡＣＴＩＶＥ状態からＲＲＣ＿ＣＯＮＮＥＣＴＥＤ状態に遷移すると、測定を再開する。方法は、ＵＥがＲＲＣ＿ＩＮＡＣＴＩＶＥ状態からＲＲＣ＿ＣＯＮＮＥＣＴＥＤ状態に遷移すると、測定を再開することに関連する動作からなる。１つのケースでは、ＲＲＣ再開メッセージの受信により、ＵＥは、格納されている測定構成に従ってすべての測定を再開するようにトリガされる。別のケースでは、ＲＲＣ再開メッセージの受信後、ＵＥは、まず、ＲＲＣ＿ＣＯＮＮＥＣＴＥＤ状態になるまで待機し、その後、遷移は、ＵＥがその格納された測定構成に従ってすべての測定を再開することをトリガする。別の実施例では、ＲＲＣ再開メッセージの受信後、ＵＥは、まず、ＲＲＣ＿ＣＯＮＮＥＣＴＥＤ状態に入るまで待機し、その後、第４の例示的な動作で説明したように、デルタシグナリング動作の結果である測定構成に従って、すべての測定を再開するようにＵＥを遷移トリガする。
【００６７】
ＲＲＣ再開要求メッセージへの応答として、ネットワークは、ＲＲＣ再開メッセージではない他のメッセージで応答してもよい。測定構成および測定に関連する一実施例では、ＵＥが待ち時間を伴うＲＲＣ拒絶メッセージを受信すると、ＵＥは、格納された測定構成を維持する。別のケースでは、ＵＥは、格納されている測定構成を解放する。別のケースでは、ＲＲＣ＿ＣＯＮＮＥＣＴＥＤ状態に入ったときの報告に関連するすべての測定が一時停止される。別の解決策では、ｗａｉｔＴｉｍｅが実行されている間、すべての測定が再開される。
【００６８】
ＲＲＣ解放メッセージを受信すると、ＵＥは格納されている測定構成を解放することができる。ＲＲＣ一時停止メッセージを受信すると、ＵＥは、格納されている測定構成を解放しないかもしれない。別のケースでは、ＵＥは、格納されている測定構成を解放する。別のケースでは、そのメッセージには、ＭｅａｓＣｏｎｆｉｇが含まれていてもよく、ＭｅａｓＣｏｎｆｉｇを受信して格納されたＭｅａｓＣｏｎｆｉｇを持っているときに前述した動作のいずれかを適用することができる。
【００６９】
ＲＲＣ仕様における可能な実装を以下に示す。ここでは、ＵＥはすべての測定構成、または少なくともＭ（保守）であることが示されたコードを持つ測定構成を格納すると仮定することができる。その後、ＲＲＣ＿ＩＮＡＣＴＩＶＥ状態に入ると、ＵＥは常に測定を一時停止することができる。図６に、ＲＲＣ接続の一時停止メッセージを示す。その後、再開時に、ＲＲＣ再開メッセージを受信すると、ＵＥは、格納されたＭｅａｓＣｏｎｆｉｇおよび提供されたＭｅａｓＣｏｎｆｉｇ（提供されている場合）から得られた測定構成に従って、すべての測定を再開することができ、場合によってはデルタシグナリングを使用することができる。
【００７０】
2021520675.tif 000002
2021520675.tif 000003
2021520675.tif 000004
2021520675.tif 000005
2021520675.tif 000006
2021520675.tif 000007
2021520675.tif 000008
2021520675.tif 000009
【００７１】
図７は、様々な実施形態に従った、３ＧＰＰタイプのセルラーネットワークなどの通信ネットワーク７１０を含む通信システムを示しており、この通信システムは、ｇＮＢ−ＲＡＮなどのアクセスネットワーク７１１と、コアネットワーク７１４（例えば、５ＧＣ）とから構成される。アクセスネットワーク７１１は、ｇＮＢまたは他のタイプの無線アクセスポイントのような複数の基地局７１２ａ、７１２ｂ、７１２ｃからなり、それぞれが対応するカバレッジエリア７１３ａ、７１３ｂ、７１３ｃを定義する。各基地局７１２ａ、７１２ｂ、７１２ｃは、有線または無線接続７１５を介してコアネットワーク７１４に接続可能である。カバレッジエリア７１３ｃに位置する第１のユーザ装置（ＵＥ）７９１は、対応する基地局７１２ｃに無線で接続するか、またはページングされるように構成されている。カバレッジエリア７１３ａ内の第２のＵＥ７９２は、対応する基地局７１２ａに無線で接続可能である。複数のＵＥ７９１、７９２がこの例で図示されているが、開示された実施形態は、単独のＵＥがカバレッジエリア内にある状況、または単独のＵＥが対応する基地局７１２に接続している状況にも同様に適用可能である。
【００７２】
通信ネットワーク７１０は、それ自体がホストコンピュータ７３０に接続されており、このホストコンピュータ７３０は、スタンドアロンサーバ、クラウド実装サーバ、分散サーバ、またはサーバファーム内の処理リソースとしてのハードウェアおよび／またはソフトウェアで具現化されていてもよい。ホストコンピュータ７３０は、サービスプロバイダの所有または制御下にあるか、またはサービスプロバイダによって、またはサービスプロバイダに代わって運営されてもよい。通信ネットワーク７１０とホストコンピュータ７３０との間の接続７２１、７２２は、コアネットワーク７１４からホストコンピュータ７３０に直接延びてもよいし、オプションの中間ネットワーク７２０を経由してもよい。中間ネットワーク７２０は、パブリックネットワーク、プライベートネットワーク、またはホストネットワークのうちの１つであってもよく、中間ネットワーク７２０は、もしあれば、バックボーンネットワークまたはインターネットであってもよく、特に、中間ネットワーク７２０は、２つ以上のサブネットワーク（図示せず）から構成されていてもよい。
【００７３】
図７の通信システムは、全体として、接続されたＵＥ７９１、７９２のうちの１つとホストコンピュータ７３０との間の接続を可能にする。この接続性は、オーバーザトップ（ＯＴＴ）接続７５０として記述されてもよい。ホストコンピュータ７３０と接続されたＵＥ７９１、７９２は、アクセスネットワーク７１１、コアネットワーク７１４、オプションの中間ネットワーク７２０、および可能性のある更なるインフラストラクチャ（図示せず）を中間体として使用して、ＯＴＴ接続７５０を介してデータおよび／またはシグナリングを通信するように構成されている。ＯＴＴ接続７５０は、ＯＴＴ接続７５０が通過する参加通信デバイスがアップリンク通信およびダウンリンク通信のルーティングを知らないという意味で透過的であってもよい。例えば、基地局７１２は、接続されたＵＥ７９１に転送（例えば、ハンドオーバ）されるべきホストコンピュータ７３０から発信されたデータを有する着信ダウンリンク通信の過去のルーティングについて知らされていないかもしれないし、知らされる必要がないかもしれない。同様に、基地局７１２は、ＵＥ７９１からホストコンピュータ７３０に向かって発信するアップリンク通信の将来のルーティングを意識する必要はない。
【００７４】
前の段落で議論されたＵＥ、基地局、およびホストコンピュータの、一実施形態に従った例示的な実施形態が、次に、図８を参照して説明される。通信システム８００において、ホストコンピュータ８１０は、通信システム８００の別の通信装置のインタフェースとの有線または無線接続を設定し、維持するように構成された通信インタフェース８１６を含むハードウェア８１５を構成する。ホストコンピュータ８１０はさらに、ストレージおよび／または処理能力を有していてもよい処理回路８１８を構成する。特に、処理回路８１８は、命令を実行するように適合された１つまたは複数のプログラマブルプロセッサ、特定用途向け集積回路、フィールドプログラマブルゲートアレイ、またはこれらの組み合わせ（図示せず）から構成されてもよい。ホストコンピュータ８１０は、さらに、ホストコンピュータ８１０に格納されているか、またはホストコンピュータ８１０によってアクセス可能であり、処理回路装置８１８によって実行可能なソフトウェア８１１を構成する。ソフトウェア８１１１は、ホストアプリケーション８１２を含む。ホストアプリケーション８１２は、ＵＥ８３０とホストコンピュータ８１０で終端するＯＴＴ接続８５０を介して接続するＵＥ８３０などのリモートユーザにサービスを提供するために操作可能であってもよい。リモートユーザにサービスを提供する際に、ホストアプリケーション８１２は、ＯＴＴ接続８５０を使用して送信されるユーザデータを提供してもよい。
【００７５】
通信システム８００は、通信システムに提供される基地局８２０をさらに含み、ホストコンピュータ８１０およびＵＥ８３０と通信することを可能にするハードウェア８２５を構成する。ハードウェア８２５は、通信システム８００の別の通信装置のインタフェースとの有線または無線接続を設定して維持するための通信インタフェース８２６と、基地局８２０によって提供されるカバーエリア（図８には示されていない）内に位置するＵＥ８３０との少なくとも無線接続８７０を設定して維持するための無線インタフェース８２７とを含んでもよい。通信インタフェース８２６は、ホストコンピュータ８１０との接続８６０を容易にするように構成されてもよい。接続８６０は、直接であってもよいし、電気通信システムのコアネットワーク（図８には示されていない）を通過してもよく、および／または電気通信システムの外の１つまたは複数の中間ネットワークを通過してもよい。示された実施形態では、基地局８２０のハードウェア８２５は、命令を実行するように適合された１つまたは複数のプログラマブルプロセッサ、特定用途向け集積回路、フィールドプログラマブルゲートアレイ、またはこれらの組み合わせ（図示せず）から構成されてもよい処理回路８２８をさらに含む。基地局８２０はさらに、内部的に記憶されたソフトウェア８２１を有し、または外部接続を介してアクセス可能である。
【００７６】
通信システム８００はさらに、既に言及したＵＥ８３０を含む。そのハードウェア８３５は、ＵＥ８３０が現在位置しているカバレッジエリアにサービスを提供する基地局との無線接続８７０を設定し、維持するように構成された無線インタフェース８３７を含んでもよい。ＵＥ８３０のハードウェア８３５は、さらに処理回路８３８を含み、これは、命令を実行するように適合された１つまたは複数のプログラマブルプロセッサ、特定用途向け集積回路、フィールドプログラマブルゲートアレイ、またはこれらの組み合わせ（図示せず）から構成されてもよい。ＵＥ８３０はさらに、ソフトウェア８３１を含み、このソフトウェア８３１は、ＵＥ８３０内に格納されているか、またはＵＥ８３０によってアクセス可能であり、処理回路８３８によって実行可能である。ソフトウェア８３１は、クライアントアプリケーション８３２を含む。クライアントアプリケーション８３２は、ホストコンピュータ８１０の支援を受けて、ＵＥ８３０を介して人間または非人間のユーザにサービスを提供するために操作可能であってもよい。ホストコンピュータ８１０において、実行ホストアプリケーション８１２は、ＵＥ８３０およびホストコンピュータ８１０で終端するＯＴＴ接続８５０を介して、実行クライアントアプリケーション８３２と通信してもよい。ユーザにサービスを提供する際に、クライアントアプリケーション８３２は、ホストアプリケーション８１２から要求データを受信し、要求データに応答してユーザデータを提供してもよい。ＯＴＴ接続８５０は、要求データとユーザデータの両方を転送してもよい。クライアントアプリケーション８３２は、提供するユーザデータを生成するためにユーザと対話してもよい。
【００７７】
図８に示されたホストコンピュータ８１０、基地局８２０、およびＵＥ８３０は、それぞれ、ホストコンピュータ７３０、基地局７１２ａ、７１２ｂ、７１２ｃのうちの１つ、および図７のＵＥ７９１、７９２のうちの１つと同一であってもよいことに留意されたい。すなわち、これらのエンティティの内部動作は、図８に示すようなものであってもよく、独立して、周囲のネットワークトポロジーは、図７のものであってもよい。
【００７８】
図８において、ＯＴＴ接続８５０は、オプションの中間装置およびこれらの装置を介したメッセージの正確なルーティングに明示的に言及することなく、基地局８２０を介したホストコンピュータ８１０と使用装置８３０との間の通信を例示するために、抽象的に描かれている。ネットワークインフラストラクチャは、ルーティングを決定してもよく、それは、ＵＥ８３０から、またはホストコンピュータ８１０を操作するサービスプロバイダから、またはその両方から隠蔽するように構成されてもよい。ＯＴＴ接続８５０がアクティブである間、ネットワークインフラストラクチャは、ルーティングを（例えば、負荷分散の考慮またはネットワークの再構成に基づいて）動的に変更する決定をさらに行ってもよい。
【００７９】
ＵＥ８３０と基地局８２０との間の無線接続８７０は、本開示を通して説明される実施形態の教示に従う。様々な実施形態のうちの１つまたは複数は、無線接続８７０が最後のセグメントを形成するＯＴＴ接続８５０を使用して、ＵＥ８３０に提供されるＯＴＴサービスのパフォーマンスを改善する。ＵＥで測定構成を格納することにより、ネットワークは、任意の通常のハンドオーバとしてデルタシグナリングを適用することができるので、ＵＥを再開するメッセージ（ＲＲＣ再開メッセージ）のサイズを最小にすることが可能になる。ＵＥは、ＵＥがインアクティブであったときに格納された測定構成を使用して測定を再開してもよい。これらの実施形態は、アイドル／接続遷移の間を含むＲＡＮのユーザのための待ち時間の減少や遅延の減少などのパフォーマンスの向上をもたらす。
【００８０】
測定手順は、データレート、遅延、および１つまたは複数の実施形態が改善する他の要因を監視する目的で提供されてもよい。測定結果の変動に応答して、ホストコンピュータ８１０とＵＥ８３０との間のＯＴＴ接続８５０を再構成するためのオプションのネットワーク機能がさらに設けられてもよい。測定手順および／またはＯＴＴ接続８５０を再構成するためのネットワーク機能は、ホストコンピュータ８１０のソフトウェア８１１またはＵＥ８３０のソフトウェア８３１に実装されてもよく、またはその両方であってもよい。実施形態では、センサ（図示せず）は、ＯＴＴ接続８５０が通過する通信デバイスに配置されてもよいし、通信デバイスと関連して配置されてもよい；センサは、上で例示された監視された量の値を供給することによって測定手順に参加してもよいし、ソフトウェア８１１、８３１が監視された量を計算または推定してもよい他の物理量の値を供給することによって測定手順に参加してもよい。ＯＴＴ接続８５０の再構成は、メッセージフォーマット、再送設定、好ましいルーティング等を含んでもよく、再構成は、基地局８２０に影響を与える必要はなく、基地局８２０には知られていないか、または感知できないかもしれない。そのような手順および機能性は、当技術分野で知られており、実践されているかもしれない。特定の実施形態では、測定は、スループット、伝搬時間、レイテンシなどのホストコンピュータ８１０の測定を容易にする独自のＵＥシグナリングを含んでもよい。測定は、ソフトウェア８１１、８３１が、伝搬時間、エラー等を監視している間、ＯＴＴ接続８５０を使用して、メッセージ、特に空のメッセージまたは「ダミー」メッセージを送信させるように実装されてもよい。
【００８１】
図９は、一実施形態に従って通信システムに実装された方法を示すフローチャートである。通信システムは、ホストコンピュータ、基地局、および図７および図８を参照して説明したものであってもよいＵＥを含む。本開示を簡単にするために、図９への参照の図面のみを本項に含める。方法の第１のステップ９１０において、ホストコンピュータは、ユーザデータを提供する。第１のステップ９１０のオプションのサブステップ９１１では、ホストコンピュータは、ホストアプリケーションを搬送する送信を開始する。オプションの第３のステップ９３０では、基地局は、本開示全体に記載される実施形態の教示に従って、ホストコンピュータが開始した送信で運ばれたユーザデータをＵＥに送信する。オプションの第４のステップ９４０において、ＵＥは、ホストコンピュータによって実行されたホストアプリケーションに関連付けられたクライアントアプリケーションを実行する。
【００８２】
図１０は、一実施形態に従って、通信システムに実装された方法を示すフローチャートである。通信システムは、ホストコンピュータ、基地局、および図７および図８を参照して説明したものであってもよいＵＥを含む。本開示を簡単にするために、図１０への参照の図面のみを本項に含める。方法の第１のステップ１０１０において、ホストコンピュータは、ユーザデータを提供する。オプションのサブステップ（図示せず）では、ホストコンピュータは、ホストアプリケーションを実行することにより、ユーザデータを提供する。第２のステップ１０２０では、ホストコンピュータは、ユーザデータをＵＥに搬送する送信を開始する。送信は、本開示全体に記載された実施形態の教示に従って、基地局を経由してもよい。オプションの第３のステップ１０３０では、ＵＥは、送信で搬送されたユーザデータを受信する。
【００８３】
図１１は、一実施形態に従って、通信システムに実装された方法を示すフローチャートである。通信システムは、ホストコンピュータ、基地局、および図７および図８を参照して説明したものであってもよいＵＥを含む。本開示を簡単にするために、図１１への図面参照のみを本項に含める。方法のオプションの第１のステップ１１１０において、ＵＥは、ホストコンピュータによって提供される入力データを受信する。さらに、または代替的に、オプションの第２のステップ１１２０において、ＵＥは、ユーザデータを提供する。第２のステップ１１２０のオプションのサブステップ１１２１において、ＵＥは、クライアントアプリケーションを実行することにより、ユーザデータを提供する。第１のステップ１１１０のさらにオプションのサブステップ１１１１において、ＵＥは、ホストコンピュータによって提供された受信入力データに反応してユーザデータを提供するクライアントアプリケーションを実行する。ユーザデータを提供する際に、実行されるクライアントアプリケーションは、ユーザから受信したユーザ入力をさらに考慮してもよい。ユーザデータが提供された特定の方法にかかわらず、ＵＥは、オプションの第３のサブステップ１１３０において、ホストコンピュータへのユーザデータの送信を開始する。方法の第４のステップ１１４０において、ホストコンピュータは、本開示全体に記載された実施形態の教示に従って、ＵＥから送信されたユーザデータを受信する。
【００８４】
図１２は、一実施形態に従って、通信システムに実装された方法を示すフローチャートである。通信システムは、ホストコンピュータ、基地局、および図７および図８を参照して説明したものであってもよいＵＥを含む。本開示を簡単にするために、図１２への図面参照のみを本項に含める。本開示全体に記載された実施形態の教示に従って、方法のオプションの第１のステップ１２１０において、基地局は、ＵＥからユーザデータを受信する。オプションの第２のステップ１２２０では、基地局は、受信したユーザデータのホストコンピュータへの送信を開始する。第３のステップ１２３０では、ホストコンピュータは、基地局によって開始された送信で運ばれたユーザデータを受信する。
【００８５】
いくつかの実施形態によれば、ホストコンピュータ、基地局、およびＵＥを含む通信システムにおいて実行される方法は、ホストコンピュータにおいて、ユーザデータを提供すること、および基地局を構成するセルラーネットワークを介してＵＥにユーザデータを運ぶ送信を開始することを含む。基地局は、ＲＲＣインアクティブ状態からＲＲＣ接続状態に遷移する際に、ＵＥがＲＲＣインアクティブ状態にある間に格納された１つまたは複数の測定構成に従って１つまたは複数の測定を再開するようにＵＥを構成することを含む方法を実行する。方法はまた、以下のうちの１つまたは複数を実行するように、ＲＲＣ接続状態からＲＲＣインアクティブ状態に入るＵＥを構成することを含んでもよい：ＲＲＣインアクティブ状態に入ることに応答または関連して、測定構成の処理に関連する動作のセット、ＲＲＣインアクティブ状態に入ることに応答または関連して、以前に構成された１つまたは複数の測定を一時停止すること、およびＲＲＣインアクティブ状態にある間に、測定構成の処理に関連する動作のセット。ユーザデータは、ホストアプリケーションを実行することによってホストコンピュータで提供されてもよく、方法は、ＵＥで、ホストアプリケーションに関連付けられたクライアントアプリケーションを実行することをさらに含んでもよい。
【００８６】
いくつかの実施形態によれば、ホストコンピュータ、基地局、およびＵＥを含む通信システムにおいて実行される方法は、ホストコンピュータにおいて、基地局がＵＥから受信した送信に由来するユーザデータを基地局から受信することを含む。基地局は、ＲＲＣインアクティブ状態からＲＲＣ接続状態に遷移する際に、ＵＥがＲＲＣインアクティブ状態にある間に格納された１つまたは複数の測定構成に従って１つまたは複数の測定を再開するようにＵＥを構成することを含む方法を実行する。方法はまた、以下のうちの１つまたは複数を実行するように、ＲＲＣ接続状態からＲＲＣインアクティブ状態に遷移するＵＥを構成することを含んでもよい：ＲＲＣインアクティブ状態に遷移することに応答または関連する測定構成の処理に関連する動作のセット、ＲＲＣインアクティブ状態に遷移することに応答または関連する、以前に構成された１つまたは複数の測定の一時停止、およびＲＲＣインアクティブ状態にある間の測定構成の処理に関連する動作のセット。
【００８７】
いくつかの実施形態によれば、通信システムは、ユーザデータを提供するように構成された処理回路を含むホストコンピュータと、ユーザデータをＵＥに送信するためにセルラーネットワークに転送するように構成された通信インタフェースとを含むことができ、セルラーネットワークは、通信回路および処理回路を有する基地局を構成する。基地局の処理回路は、ＵＥがＲＲＣインアクティブ状態からＲＲＣ接続状態に遷移する際に、ＵＥがＲＲＣインアクティブ状態にある間に格納された１つまたは複数の測定構成に従って１つまたは複数の測定を再開するようにＵＥを構成してもよい。処理回路はまた、ＲＲＣ接続状態からＲＲＣインアクティブ状態に遷移するＵＥが、以下のうちの１つまたは複数を実行するように構成されてもよい：ＲＲＣインアクティブ状態に遷移することに応答または関連して、測定構成の処理に関連する動作のセット、ＲＲＣインアクティブ状態に遷移することに応答または関連して、以前に構成された１つまたは複数の測定の一時停止、およびＲＲＣインアクティブ状態にある間の測定構成の処理に関連する動作のセット。
【００８８】
通信システムは、基地局および／またはＵＥを含んでもよく、ＵＥは基地局と通信するように構成されている。ホストコンピュータの処理回路は、ホストアプリケーションを実行してユーザデータを提供するように構成されてもよく、ＵＥは、ホストアプリケーションに関連付けられたクライアントアプリケーションを実行するように構成された処理回路を含んでもよい。
【００８９】
いくつかの実施形態によれば、ＵＥから基地局への送信に由来するユーザデータを受信するように構成された通信インタフェースを含むホストコンピュータを含む通信システムであって、無線インタフェースおよび処理回路を含む。基地局の処理回路は、ＵＥがＲＲＣインアクティブ状態からＲＲＣ接続状態に遷移する際に、ＵＥがＲＲＣインアクティブ状態にある間に格納された１つまたは複数の測定構成に従って１つまたは複数の測定を再開するように構成される。処理回路はまた、ＲＲＣ接続状態からＲＲＣインアクティブ状態に遷移するＵＥが、以下のうちの１つまたは複数を実行するように構成されてもよい：ＲＲＣインアクティブ状態に遷移することに応答または関連して、測定構成の処理に関連する動作のセット、ＲＲＣインアクティブ状態に遷移することに応答または関連して、以前に構成された１つまたは複数の測定の一時停止、およびＲＲＣインアクティブ状態にある間の測定構成の処理に関連する動作のセット。通信システムは、基地局および／またはＵＥを含んでもよく、ＵＥは基地局と通信するように構成されている。ホストコンピュータは、ホストアプリケーションを実行するように構成された処理回路を含んでもよく、ＵＥは、ホストアプリケーションに関連付けられたクライアントアプリケーションを実行するように構成されてもよく、それによって、ホストコンピュータによって受信されるユーザデータを提供する。
【００９０】
いくつかの実施形態によれば、ホストコンピュータ、基地局、およびＵＥを含む通信システムにおいて実行される方法は、ホストコンピュータにおいて、ユーザデータを提供すること、および基地局を構成するセルラーネットワークを介してＵＥにユーザデータを伝送する伝送を開始することを含む。ＵＥにおける方法は、無線ネットワークから受信したメッセージに応答して、ＲＲＣ接続状態からＲＲＣインアクティブ状態に遷移することを含む。方法は、その後、ＲＲＣインアクティブ状態からＲＲＣ接続状態に遷移し、ＵＥがＲＲＣインアクティブ状態にある間に格納された１つまたは複数の測定構成に従って１つまたは複数の測定を再開することを含んでもよい。方法はまた、次のステップのうちの１つまたは複数を実行することを含んでもよい：ＲＲＣインアクティブ状態に入ることに応答または関連して、以前に受信した測定構成の処理に関連する動作のセットを実行すること、ＲＲＣインアクティブ状態に入ることに応答または関連して、以前に構成された１つまたは複数の測定を一時停止すること、およびＲＲＣインアクティブ状態にある間に、以前に受信した測定構成の処理に関連する動作のセットを実行すること。ＵＥでの方法は、基地局からユーザデータを受信することを含んでもよい。
【００９１】
いくつかの実施形態によれば、ホストコンピュータを含む通信システムは、ＵＥから基地局への送信に由来するユーザデータを受信するように構成された通信インタフェースを含む。ＵＥの処理回路は、無線ネットワークから受信したメッセージに応答して、ＲＲＣ接続状態からＲＲＣインアクティブ状態に入るように構成されている。処理回路はまた、その後、ＲＲＣインアクティブ状態からＲＲＣ接続状態に遷移し、ＵＥがＲＲＣインアクティブ状態にある間に格納された１つまたは複数の測定構成に従って１つまたは複数の測定を再開するように構成されている。処理回路はまた、次のステップのうちの１つまたは複数を実行するように構成されていてもよい：ＲＲＣインアクティブ状態に入ることに応答または関連して、以前に受信した測定構成の処理に関連する動作のセットを実行するステップ、ＲＲＣインアクティブ状態に入ることに応答または関連して、以前に構成された１つまたは複数の測定を一時停止するステップ、およびＲＲＣインアクティブ状態にある間に、以前に受信した測定構成の処理に関連する動作のセットを実行するステップ。通信システムは、ＵＥおよび／または基地局を含んでもよく、基地局は、ＵＥと通信するように構成された無線インタフェースと、ＵＥから基地局への送信によって運ばれたユーザデータをホストコンピュータに転送するように構成された通信インタフェースとを含む。ホストコンピュータの処理回路は、ホストアプリケーションを実行するように構成されてもよく、ＵＥの処理回路は、ホストアプリケーションに関連付けられたクライアントアプリケーションを実行するように構成されてもよく、それによってユーザデータを提供する。ホストコンピュータの処理回路は、ホストアプリケーションを実行するように構成されてもよく、それによって要求データを提供し、ＵＥの処理回路は、ホストアプリケーションに関連付けられたクライアントアプリケーションを実行するように構成されてもよく、それによって要求データに応答してユーザデータを提供する。
【００９２】
いくつかの実施形態によれば、ＵＥに実装された方法は、無線ネットワークから受信したメッセージに応答して、ＲＲＣ接続状態からＲＲＣインアクティブ状態に入ることを含む。方法は、その後、ＲＲＣインアクティブ状態からＲＲＣ接続状態に遷移し、ＵＥがＲＲＣインアクティブ状態にある間に格納された１つまたは複数の測定構成に従って１つまたは複数の測定を再開することを含んでもよい。方法は、次のステップのうちの１つまたは複数を実行することを含むことができる：ＲＲＣインアクティブ状態に入ることに応答または関連して、以前に受信した測定構成の処理に関連する動作のセットを実行するステップと、ＲＲＣインアクティブ状態に入ることに応答または関連して、以前に構成された１つまたは複数の測定を一時停止するステップと、ＲＲＣインアクティブ状態にある間に、以前に受信した測定構成の処理に関連する動作のセットを実行するステップ。方法は、ユーザデータを提供することと、ユーザデータを基地局への送信を介してホストコンピュータに転送することとを含んでもよい。
【００９３】
いくつかの実施形態によれば、ホストコンピュータ、基地局、およびＵＥを含む通信システムに実装された方法は、ホストコンピュータにおいて、ＵＥから基地局に送信されたユーザデータを受信することを含む。ＵＥにおける方法は、無線ネットワークから受信したメッセージに応答して、ＲＲＣ接続状態からＲＲＣインアクティブ状態に遷移することを含む。方法は、その後、ＲＲＣインアクティブ状態からＲＲＣ接続状態に遷移し、ＵＥがＲＲＣインアクティブ状態にある間に格納された１つまたは複数の測定構成に従って１つまたは複数の測定を再開することを含んでもよい。方法はまた、次のステップのうちの１つまたは複数を実行することを含んでもよい：ＲＲＣインアクティブ状態に入ることに応答または関連して、以前に受信した測定構成の処理に関連する動作のセットを実行すること、ＲＲＣインアクティブ状態に入ることに応答または関連して、以前に構成された１つまたは複数の測定を一時停止すること、およびＲＲＣインアクティブ状態にある間に、以前に受信した測定構成の処理に関連する動作のセットを実行すること。ＵＥにおける方法はまた、次のステップのうちの１つまたは複数を実行することを含んでもよい：ＲＲＣインアクティブ状態に入ることに応答または関連して、以前に受信した測定構成の処理に関連する動作のセットを実行すること；ＲＲＣインアクティブ状態に入ることに応答または関連して、１つまたは複数の以前に構成された測定を一時停止すること；およびＲＲＣインアクティブ状態にある間、以前に受信した測定構成の処理に関連する動作のセットを実行すること。ＵＥでの方法は、基地局にユーザデータを提供すること、および／またはクライアントアプリケーションを実行することを含み、それによって送信されるユーザデータを提供することができる。ホストコンピュータにおける方法は、クライアントアプリケーションに関連付けられたホストアプリケーションを実行することを含んでもよい。ＵＥにおける方法は、クライアントアプリケーションを実行することと、クライアントアプリケーションへの入力データを受信することとを含んでもよく、入力データは、クライアントアプリケーションに関連付けられたホストアプリケーションを実行することによってホストコンピュータに提供され、ここで、送信されるべきユーザデータは、入力データに応答してクライアントアプリケーションによって提供される。
【００９４】
いくつかの実施形態によれば、ホストコンピュータを含む通信システムは、ＵＥから基地局への送信に由来するユーザデータを受信するように構成された通信インタフェースを構成する。ＵＥの処理回路は、無線ネットワークから受信したメッセージに応答して、ＲＲＣ接続状態からＲＲＣインアクティブ状態に遷移するように構成されている。処理回路はまた、その後、ＲＲＣインアクティブ状態からＲＲＣ接続状態に遷移し、ＵＥがＲＲＣインアクティブ状態にある間に格納された１つまたは複数の測定構成に従って１つまたは複数の測定を再開するように構成されている。処理回路は、次のステップのうちの１つまたは複数を実行するように構成されていてもよい：ＲＲＣインアクティブ状態に入ることに応答または関連して、以前に受信した測定構成の処理に関連する動作のセットを実行するステップ、ＲＲＣインアクティブ状態に入ることに応答または関連して、以前に構成された１つまたは複数の測定を一時停止するステップ、およびＲＲＣインアクティブ状態にある間に、以前に受信した測定構成の処理に関連する動作のセットを実行するステップ。通信システムは、ＵＥを含んでもよい。通信システムは、基地局を含んでもよく、基地局は、ＵＥと通信するように構成された無線インタフェースと、ＵＥから基地局への送信によって運ばれたユーザデータをホストコンピュータに転送するように構成された通信インタフェースとを含む。ホストコンピュータの処理回路は、ホストアプリケーションを実行するように構成されてもよく、ＵＥの処理回路は、ホストアプリケーションに関連付けられたクライアントアプリケーションを実行するように構成されてもよく、それによってユーザデータを提供する。ホストコンピュータの処理回路は、ホストアプリケーションを実行するように構成されてもよく、それによって要求データを提供し、ＵＥの処理回路は、ホストアプリケーションに関連付けられたクライアントアプリケーションを実行するように構成されてもよく、それによって要求データに応答してユーザデータを提供するように構成されてもよい。
【００９５】
上で詳細に論じたように、本明細書に記載された技術、例えば、図３および図５のプロセスフロー図に図示されているように、１つまたは複数のプロセッサによって実行されるコンピュータプログラム命令を使用して、全体または部分的に実施されてもよい。これらの技術の機能的な実装は、機能モジュールの観点から表現されてもよく、各機能モジュールは、適切なプロセッサで実行されるソフトウェアの機能ユニット、または機能的なデジタルハードウェア回路、またはその両方のいくつかの組み合わせに対応している。
【００９６】
図１３は、１つまたは複数のネットワークノード３０に実装されてもよい例示的な機能モジュールまたは回路アーキテクチャを示す。実施形態は、無線デバイス５０を構成するための構成モジュール１３０２を含み、無線デバイス５０がＲＲＣインアクティブ状態からＲＲＣ接続状態に遷移する際に、無線デバイス５０がＲＲＣインアクティブ状態にある間に格納された１つまたは複数の測定構成に従って１つまたは複数の測定を再開するように構成する。設定モジュールはまた、ＲＲＣ接続状態からＲＲＣインアクティブ状態に入る無線デバイス５０を、以下のうちの１つまたは複数を実行するように設定するためのものであってもよい：ＲＲＣインアクティブ状態に入ることに応答または関連して、測定構成の処理に関連する動作のセット；ＲＲＣインアクティブ状態に入ることに応答または関連して、以前に設定された１つまたは複数の測定の一時停止；およびＲＲＣインアクティブ状態にある間の測定構成の処理に関連する動作のセット。
【００９７】
図１４は、無線デバイス５０に実装され得る例示的な機能モジュールまたは回路アーキテクチャを示す。実施形態は、無線ネットワークから受信したメッセージに応答して、ＲＲＣ接続状態からＲＲＣインアクティブ状態に入るための進入モジュール１４０２を含む。実施形態はまた、後にＲＲＣインアクティブ状態からＲＲＣ接続状態に遷移する際に、無線デバイス５０がＲＲＣインアクティブ状態にある間に格納された１つまたは複数の測定構成に従って１つまたは複数の測定を再開するための実行モジュール１４０４を含む。実行モジュール１４０４はまた、以下のステップのうちの１つまたは複数を実行するためのものであってもよい：ＲＲＣインアクティブ状態に入ることに応答または関連して、以前に受信した測定構成の処理に関連する動作のセットを実行すること；ＲＲＣインアクティブ状態に入ることに応答または関連して、１つまたは複数の以前に構成された測定を一時停止すること；およびＲＲＣインアクティブ状態にある間、以前に受信した測定構成の処理に関連する動作のセットを実行すること。
【００９８】
注目すべきことは、開示された本発明の修正および他の実施形態は、前述の説明および関連する図面に示された教示の恩恵を受けている当業者には思い浮かぶであろう。したがって、本発明（複数可）は、開示された特定の実施形態に限定されるべきではなく、修正および他の実施形態が、本開示の範囲内に含まれることが意図されていることが理解されるであろう。特定の用語が本明細書で採用されてもよいが、それらは、一般的かつ記述的な意味でのみ使用され、限定を目的としたものではない。
【図１Ａ】
2021520675.tif 000010
【図１Ｂ】
2021520675.tif 000011
【図２】
2021520675.tif 000012
【図３】
2021520675.tif 000013
【図４】
2021520675.tif 000014
【図５】
2021520675.tif 000015
【図６】
2021520675.tif 000016
【図７】
2021520675.tif 000017
【図８】
2021520675.tif 000018
【図９】
2021520675.tif 000019
【図１０】
2021520675.tif 000020
【図１１】
2021520675.tif 000021
【図１２】
2021520675.tif 000022
【図１３】
2021520675.tif 000023
【図１４】
2021520675.tif 000024
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
無線ネットワークで動作する無線デバイス（５０）において、測定構成を処理するための方法（５００）であって、該方法（５００）は、
前記無線ネットワークから受信されたメッセージに応答して、無線リソース制御（ＲＲＣ）接続状態からＲＲＣインアクティブ状態に入ること（５０２）と、
その後、前記ＲＲＣインアクティブ状態から前記ＲＲＣ接続状態に遷移すること（５０６）と、
前記無線デバイス（５０）が前記ＲＲＣインアクティブ状態にある間に格納された１つまたは複数の測定構成に従って１つまたは複数の測定を再開すること（５０８）と、
を含む方法（５００）。
【請求項２】
前記再開することは、新しい測定構成を含まないＲＲＣレジュームメッセージを受信することに応答して選択的に実行される
請求項１に記載の方法（５００）。
【請求項３】
前記再開することは、新しい測定構成を含むＲＲＣレジュームメッセージを受信することにかかわらず、前記無線デバイス（５０）が前記ＲＲＣインアクティブ状態にある間に格納された１つまたは複数の測定構成に従って実行される
請求項１に記載の方法（５００）。
【請求項４】
前記無線デバイス（５０）が前記ＲＲＣインアクティブ状態にある間に格納された測定構成に従って実行される前記再開することは、前記無線デバイス（５０）が前記ＲＲＣインアクティブ状態にある間に格納された１つまたは複数の測定構成を、前記ＲＲＣインアクティブ状態にある間に受信されたＲＲＣレジュームメッセージに含まれる測定構成情報で調整することを含む
請求項１に記載の方法（５００）。
【請求項５】
前記ＲＲＣインアクティブ状態に入ることに応答または関連して、以前に受信された測定構成の処理に関連する動作のセットを実行することと、
前記ＲＲＣインアクティブ状態に入ることに応答または関連して、以前に構成された１つまたは複数の測定を一時停止することと、
前記ＲＲＣインアクティブ状態にある間に、以前に受信された測定構成の処理に関連する動作のセットを実行することと、
のうちの１つまたは複数を実行すること（５０４）をさらに含む
請求項１乃至４の何れか１項に記載の方法（５００）。
【請求項６】
前記ＲＲＣインアクティブ状態に入ることに応答または関連して、以前に受信された測定構成の処理に関連する前記動作のセットを実行すること（５０４）は、前記ＲＲＣインアクティブ状態に入る時点で存在する測定構成のすべてまたはサブセットを格納することを含む
請求項５に記載の方法（５００）。
【請求項７】
前記格納することは、測定構成または測定構成のサブセットは解放されるべきでないというインジケーションを受信することに応答して選択的に実行される
請求項６に記載の方法（５００）。
【請求項８】
前記格納することは、前記無線デバイス（５０）へ明示的にインジケーションされた１つまたは複数のフィールドを除く既存のすべての測定構成を格納することを含む
請求項７に記載の方法（５００）。
【請求項９】
前記ＲＲＣインアクティブ状態に入る時点で存在する測定構成のすべてまたはサブセットを解放することをさらに含む
請求項１乃至４の何れか１項に記載の方法（５００）。
【請求項１０】
前記解放することは、測定構成または測定構成のサブセットが解放されるべきであるというインジケーションを受信することに応答して選択的に実行される
請求項９に記載の方法（５００）。
【請求項１１】
前記解放することは、前記無線デバイス（５０）へ明示的にインジケーションされた１つまたは複数のフィールドを除く既存のすべての測定構成を解放することを含む
請求項９に記載の方法（５００）。
【請求項１２】
前記一時停止することは、測定が一時停止されるべきであるというインジケーションを受信することに応答して選択的に実行される
請求項１乃至４の何れか１項に記載の方法（５００）。
【請求項１３】
前記一時停止することは、前記無線デバイス（５０）へ明示的にインジケーションされた１つまたは複数の測定を除く既存のすべての測定を一時停止することを含む
請求項１乃至４の何れか１項に記載の方法（５００）。
【請求項１４】
１つまたは複数の事前定義されたトリガイベントのセットに応答して、格納された測定構成のすべてまたは１つまたは複数の部分を解放することをさらに含む
請求項１乃至４の何れか１項に記載の方法（５００）。
【請求項１５】
前記事前定義されたトリガイベントのセットは、
セル再選択、
ニューラジオ（ＮＲ）および５Ｇコア（５ＧＣ）に接続されたロングタームエボリューション（ＬＴＥ）セルでのセル再選択、
イントラ無線アクセス技術（ＲＡＴ）のセル再選択、
周波数間のセル再選択、
ＲＲＣサスペンドメッセージ内などのＲＲＣによって構成されたタイマの満了、
ニューラジオアクセスネットワーク（ＲＡＮ）エリアへの進入、
周期的なＲＡＮエリア更新の実行、
ＲＲＣレジューム要求の送信による再開の試行およびＲＲＣ接続セットアップの受信、
前記無線デバイス（５０）をカバーするダウンリンクビームのセットが変化したことを検出することによるセルカバレッジの変化の検出、
のうちの任意の１つまたは複数を含む
請求項１４に記載の方法（５００）。
【請求項１６】
無線ネットワーク内のまたは接続された１つまたは複数のノード（３０）において、測定構成の処理を提供するための方法（３００）であって、該方法（３００）は、
無線リソース制御（ＲＲＣ）インアクティブ状態からＲＲＣ接続状態に遷移すると、無線デバイス（５０）が前記ＲＲＣインアクティブ状態にある間に格納された１つまたは複数の測定構成に従って１つまたは複数の測定を再開するように、前記無線デバイス（５０）を構成することを含む
方法（３００）。
【請求項１７】
前記ＲＲＣインアクティブ状態に入ると、
前記ＲＲＣインアクティブ状態に入ることに応答または関連して、測定構成の処理に関連する動作のセット、
前記ＲＲＣインアクティブ状態に入ることに応答または関連して、以前に構成された１つまたは複数の測定の一時停止、
前記ＲＲＣインアクティブ状態にある間に、測定構成の処理に関連する動作のセット、
のうちの１つまたは複数を実行するように前記無線デバイス（５０）を構成することを含む
請求項１６に記載の方法（３００）。
【請求項１８】
請求項１乃至１５の何れか１項に記載の方法（５００）を実行するのに適合した無線デバイス（５０）。
【請求項１９】
送受信機回路（５６）と、該送受信機回路（５６）に動作的に関連付けられた処理回路（５２）と、を含み、
請求項１乃至１５の何れか１項に記載の方法（５００）を実行するように構成された
無線デバイス（５０）。
【請求項２０】
請求項１６または１７に記載の方法（３００）を実行するように適合した１つまたは複数のネットワークノード（３０）。
【請求項２１】
通信回路（３８）と、該通信回路（３８）に動作的に関連付けられた処理回路（３２）と、を含み、
請求項１６または１７に記載の方法（３００）を実行するように構成された
１つまたは複数のネットワークノード（３０）。
【請求項２２】
少なくとも１つの処理回路（３２、５２）で実行されたとき、該少なくとも１つの処理回路（３２、５２）に請求項１乃至１６の何れか１項に記載の方法（３００、５００）を実行させる命令を含む、コンピュータプログラム（４６、６６）。
【国際調査報告】
2021520675.tif 000025
2021520675.tif 000026
2021520675.tif 000027
2021520675.tif 000028